(57)【特許請求の範囲】
【請求項１】
走査信号線の延伸方向を行方向とすれば、行および列方向に並ぶ画素を備えた液晶表示装置であって、
列方向に伸びる１つの画素列に対応して第１および第２のデータ信号線が設けられ、該画素列に含まれる１つの画素は１本の走査信号線に接続されるとともに第１および第２のデータ信号線のいずれかに接続され、第１および第２のデータ信号線には互いに同極性の信号電位が供給され、
上記画素列の所定画素を数え始めの１番目の画素とし、上記画素列の伸びる方向である走査方向に数えて奇数番目にあたる２画素を対とするとともに偶数番目にあたる２画素を対とし、奇数番目にあたる２画素からなる対をｎ個（ｎは自然数）含むグループと、偶数番目にあたる２画素からなる対をｎ個含むグループとを交互に順序付けて考えた場合に、
対をなす２つの画素が異なるデータ信号線に接続され、各データ信号線に供給される信号電位の極性がｎ水平走査期間ごとに反転することを特徴とする液晶表示装置。
【請求項２】
上記順序に従ってグループが選ばれ、選ばれたグループ内で、対をなす２つの画素それぞれに接続する走査信号線の同時選択が行われ、ｎが２以上の場合にはこの同時選択が各対につき順次行われることを特徴とする請求項１記載の液晶表示装置。
【請求項３】
隣り合う２つの画素列の一方に対応する第１および第２のデータ信号線に供給される信号電位の極性と、該２つの画素列の他方に対応する第１および第２のデータ信号線に供給される信号電位の極性とが異なっていることを特徴とする請求項１記載の液晶表示装置。
【請求項４】
対をなす２つの画素は、連続する２つの奇数番目にあたるか、あるいは連続する２つの偶数番目にあたることを特徴とする請求項１記載の液晶表示装置。
【請求項５】
電位制御可能な保持容量配線を複数備え、上記１つの画素には、第１および第２のトランジスタと、第１および第２の画素電極とが含まれ、該第１および第２の画素電極はそれぞれ、第１および第２のトランジスタを介して同一のデータ信号線に接続され、上記第１および第２のトランジスタは上記１本の走査信号線に接続され、上記第１および第２の画素電極は、それぞれ異なる保持容量配線と保持容量を形成し、
該第１および第２の画素電極と保持容量を形成する２本の保持容量配線それぞれの電位は、第１および第２のトランジスタに接続する走査信号線の走査終了に同期してあるいはその後に、互いに逆向きにレベルシフトすることを特徴とする請求項１〜４のいずれか１項に記載の液晶表示装置。
【請求項６】
列方向に隣り合う２つの画素に対応して１本の保持容量配線が設けられ、上記２つの画素の一方に設けられた第１あるいは第２の画素電極と上記２つの画素領域の他方に設けられた第１あるいは第２の画素電極とが、この保持容量配線と保持容量を形成していることを特徴とする請求項５記載の液晶表示装置。
【請求項７】
上記第１および第２のデータ信号線には、各水平走査期間において、予備電位が供給された後に上記信号電位が供給されることを特徴とする請求項１〜６のいずれか１項に記載の液晶表示装置。
【請求項８】
上記予備電位が一定値となっていることを特徴とする請求項７記載の液晶表示装置。
【請求項９】
上記一定値が信号電位のレンジの中央値であることを特徴とする請求項８に記載の液晶表示装置。
【請求項１０】
上記予備電位が、一水平走査期間前に同一データ信号線に供給された信号電位と現水平走査期間の信号電位とに基づいて決定された値となっていることを特徴とする請求項７記載の液晶表示装置。
【請求項１１】
走査信号線の走査期間と走査期間との間に、上記予備電位の供給タイミングに合わせた中途選択期間が設けられ、この中途選択期間に、該走査信号線に接続する画素へ上記予備電位が書き込まれることを特徴とする請求項７記載の液晶表示装置。
【請求項１２】
上記第１および第２のデータ信号線の一方が上記画素列の一方の側に配されるとともに、他方が上記画素列と重なるように配されていることを特徴とする請求項１に記載の液晶表示装置。
【請求項１３】
同時選択される各走査信号線は、液晶パネル内で接続されるか、あるいは走査信号線を駆動するゲートドライバの同一出力端子に接続されていることを特徴とする請求項２に記載の液晶表示装置。
【請求項１４】
表示部に複数の領域が設けられるとともに、各領域に上記データ信号線および走査信号線並びに画素が設けられ、これらが領域ごとに個別駆動されることを特徴とする請求項１〜１３のいずれか１項に記載の液晶表示装置。
【請求項１５】
１秒間に表示するコマ数が６０よりも多いことを特徴とする請求項１〜１４のいずれか１項に記載の液晶表示装置。
【請求項１６】
電位制御可能な複数の保持容量配線を備え、各画素には、第１および第２トランジスタと、第１および第２画素電極とが含まれ、該第１および第２画素電極は、それぞれ第１および第２トランジスタを介して同一のデータ信号線に接続され、上記第１および第２トランジスタは同一の走査信号線に接続され、上記第１および第２画素電極は異なる保持容量配線と保持容量を形成し、
上記画素列の隣り合う２つの画素に対応して１本の保持容量配線が設けられ、上記２つの画素の一方に設けられたいずれかの画素電極と他方に設けられたいずれかの画素電極とが、この２つの画素に対応する１本の保持容量配線と保持容量を形成しており、
１番目の画素の各画素電極と保持容量を形成する保持容量配線が１番目および２番目の保持容量配線であり、２番目の保持容量配線は、２番目の画素のいずれかの画素電極とも保持容量を形成しており、
１番目の画素の各画素電極と保持容量を形成する保持容量配線が１番目および２番目の保持容量配線であり、２番目の保持容量配線は２番目の画素のいずれかの画素電極とも保持容量を形成しており、１番目および２番目の画素の書き込み終了時あるいはその後に、１番目および２番目の保持容量配線の電位が同期して逆向きにレベルシフトし、
１番目の保持容量配線を数え始めとして走査方向に数え、奇数番目の保持容量配線を２本ずつ束にして考えた場合に、各束では、２本の保持容量配線の電位が同期して同じ向きにレベルシフトし、隣り合う２つの束間では、走査方向上流側に位置する束の各保持容量配線の電位がレベルシフトした２水平走査期間後に、走査方向下流側に位置する束の各保持容量配線の電位がレベルシフトし、
偶数番目の保持容量配線を２本ずつ束にして考えた場合に、各束では、２本の保持容量配線の電位が同期して同じ向きにレベルシフトし、隣り合う２つの束間では、走査方向上流側に位置する束の各保持容量配線の電位がレベルシフトした２水平走査期間後に、走査方向下流側に位置する束の各保持容量配線の電位がレベルシフトすることを特徴とする請求項４に記載の液晶表示装置。
【請求項１７】
走査信号線の延伸方向を行方向とすれば、行および列方向に並ぶ画素を備え、列方向に伸びる１つの画素列に対応して第１および第２のデータ信号線が設けられ、該画素列に含まれる１つの画素は１本の走査信号線に接続されるとともに第１および第２のデータ信号線のいずれかに接続され、上記画素列の所定画素を数え始めの１番目の画素とし、上記画素列の伸びる方向である走査方向に数えて奇数番目にあたる２画素を対とするとともに偶数番目にあたる２画素を対とし、奇数番目にあたる２画素からなる対をｎ個含むグループと、偶数番目にあたる２画素からなる対をｎ個含むグループとを交互に順序付けて考えた場合に、対をなす２つの画素が異なるデータ信号線に接続された液晶表示装置に対し、
第１および第２のデータ信号線に、互いに同極性の信号電位を供給するとともに、各データ信号線に供給される信号電位の極性をｎ水平走査期間（ｎは自然数）ごとに反転させ、かつ上記順序に従ってグループを選ぶとともに、選んだグループ内で、対をなす２つの画素それぞれに接続する走査信号線の同時選択を行い、ｎが２以上の場合にはこの同時選択を各対につき順次行うことを特徴とする液晶表示装置の駆動方法。
【請求項１８】
請求項１〜１６のいずれか１項に記載の液晶表示装置と、テレビジョン放送を受信するチューナー部とを備えることを特徴とするテレビジョン受像機。
【発明の詳細な説明】
【技術分野】
【０００１】
本発明は、同一の画素列に含まれる複数の画素に同時書き込みを行う液晶表示装置に関する。
【背景技術】
【０００２】
液晶表示装置の大型・高精細化が進んでいるが、これに伴う画素数の増加やデータ信号線の配線抵抗等の増大によって、各画素を十分に充電することが難しくなってきている。ここで特許文献１には、１つの画素列に対して２本のデータ信号線を設け、隣接する２つの画素それぞれに接続する走査信号線を同時選択する構成が開示されている。なお、各データ信号線に供給する信号電位の極性はフレームごとに反転させている。該構成によれば、隣接する２つの画素に同時に信号電位を書き込むことができ、各画素の充電時間を増加させることができる。
【特許文献１】日本国公開特許公報「特開平１０−２５３９８７号公報（１９９８年９月２５日公開）」
【発明の開示】
【０００３】
しかしながら、特許文献１の構成では、１フレーム間に各画素に書き込まれる信号電位の極性が同一であるのに加え、隣接する２つの画素それぞれに接続する走査信号線を同時にＯＮ／ＯＦＦする（該２つの画素が同期してちらつく）ため、フリッカが顕著に目立つという問題があった。
【０００４】
本発明は、上記課題に鑑みてなされたものであり、その目的は、フリッカを抑制しつつ画素充電時間の増加を図りうる液晶表示装置を提供する点にある。
【０００５】
本発明の液晶表示装置は、走査信号線の延伸方向を行方向とすれば、行および列方向に並ぶ画素を備えた液晶表示装置であって、１つの画素列に対応して第１および第２のデータ信号線が設けられ、該画素列に含まれる１つの画素は１本の走査信号線に接続されるとともに第１および第２のデータ信号線のいずれかに接続され、第１および第２のデータ信号線には互いに逆極性の信号電位が供給され、上記画素列の所定画素を数え始めの１番目の画素とし、走査方向に数えて奇数番目の１画素と偶数番目の１画素とを対とするとともにｎ個（ｎは自然数）の対を１グループとし、各グループに順序を付して考えた場合に、同一のグループでは、各対の２つの画素が異なるデータ信号線に接続されるとともに、ｎが２以上の場合には奇数番目の各画素が同一のデータ信号線に接続されており、連続する２つのグループ間では、一方のグループに含まれる奇数番目の画素が接続するデータ信号線と、他方のグループに含まれる奇数番目の画素が接続するデータ信号線とが異なっていることを特徴とする。ここでは、データ信号線に１画素に対応する電位が出力されている期間を１水平走査期間（１Ｈ）とする。
【０００６】
本液晶表示装置では、例えば、各データ信号線に供給される信号電位の極性をｎ水平走査期間ごとに反転させ、かつ上記順序に従ってグループを選ぶとともに、選んだグループ内で、対をなす２つの画素それぞれに接続する走査信号線の同時選択を行い、ｎが２以上の場合にはこの同時選択を各対につき順次行うことで、２本の走査信号線を同時選択しつつ、上記画素列の各画素をドット反転させることができる。これにより、各画素をドット反転させてフリッカを抑制しつつ、２本の走査信号線を同時選択することで一水平走査期間を延ばし、画素充電時間を増やすことができる。
【０００７】
なお、本構成では、一水平走査期間を走査信号線が１本ずつ選択される場合と同じにすれば２倍の本数の走査信号線を走査することができ、走査信号線の本数を上記場合と同じにすれば一水平走査期間を２倍にすることができる。したがって、本液晶表示装置は、単位時間当たりのコマ数（例えば、フレーム数、サブフレーム数、フィールド数）を２倍（例えば、１２０コマ／秒）にする倍速駆動に好適である。倍速駆動では必然的に画素充電時間が少なくなるが、本構成を用いることで、必要な画素充電時間を確保することができる。同様に、本液晶表示装置は、走査信号線が２１６０本のデジタルシネマ規格の表示装置や走査信号線が４３２０本のスーパーハイビジョン規格の表示装置にも好適である。
【０００８】
本液晶表示装置では、対をなす２つの画素が隣接している構成とすることもできる。この場合、２×ｎ×ｉ＋１番目（ｉは自然数）の画素以外は前段の画素と異なるデータ信号線に接続される一方、２×ｎ×ｉ＋１番目の画素は前段の画素と同じデータ信号線に接続されており、走査信号線が、所定画素に接続する走査信号線から順に、隣り合う２本ずつ同時選択されていく構成とすることもできる。
【０００９】
本液晶表示装置では、ｎ＝１としてもよい。このようにデータ信号線に供給される信号電位を一水平走査期間ごとに反転させることで、大型、高精細あるいは高速駆動を行う液晶表示装置において、一水平走査期間前に同一データ信号線に供給された電位レベルの相異に起因する現水平走査期間での到達電位（充電率）のばらつきを大幅に抑えることができる。
【００１０】
本発明の液晶表示装置は、走査信号線の延伸方向を行方向とすれば、行および列方向に並ぶ画素を備えた液晶表示装置であって、１つの画素列に対応して第１および第２のデータ信号線が設けられ、該画素列に含まれる１つの画素は１本の走査信号線に接続されるとともに第１および第２のデータ信号線のいずれかに接続され、第１および第２のデータ信号線には互いに逆極性の信号電位が供給され、上記画素列の所定画素を数え始めの１番目の画素とし、走査方向に数えて奇数番目の１画素と偶数番目の１画素とを対として各対に順序を付して考えた場合に、各対の２つの画素が異なるデータ信号線に接続されるとともに、上記順序が連続する２つの対については、一方の対に含まれる奇数番目の画素が接続するデータ信号線と、他方の対に含まれる奇数番目の画素が接続するデータ信号線とが同一であることを特徴とする。
【００１１】
本液晶表示装置では、例えば、各データ信号線に供給される信号電位の極性を１垂直走査期間ごとに反転させ、かつ対をなす２つの画素それぞれに接続する走査信号線の同時選択を、上記順序に従って各対につき行うことで、２本の走査信号線を同時選択しつつ、上記画素列の各画素をドット反転させることができる。これにより、各画素をドット反転させてフリッカを抑制しつつ、２本の走査信号線を同時選択することで一水平走査期間を延ばし、画素充電時間を増やすことができる。
【００１２】
なお、本構成では、一水平走査期間を走査信号線が１本ずつ選択される場合と同じにすれば２倍の本数の走査信号線を走査することができ、走査信号線の本数を上記場合と同じにすれば一水平走査期間を２倍にすることができる。したがって、本液晶表示装置は、単位時間当たりのコマ数を２倍（例えば、１２０コマ／秒）にする倍速駆動に好適である。倍速駆動では必然的に画素充電時間が少なくなるが、本構成を用いることで、必要な画素充電時間を確保することができる。同様に、本液晶表示装置は、走査信号線が２１６０本のデジタルシネマ規格の表示装置や走査信号線が４３２０本のスーパーハイビジョン規格の表示装置にも好適である。
【００１３】
本液晶表示装置では、対をなす２つの画素が隣接している構成とすることもできる。この場合、上記所定画素よりも走査方向側に位置する各画素は、前段の画素と異なるデータ信号線に接続され、走査信号線は、所定画素に接続する走査信号線から順に、隣り合う２本ずつ同時選択されていく構成とすることもできる。
【００１４】
本液晶表示装置では、１つの画素行に含まれる各画素は同一の走査信号線に接続され、隣接する２つの画素列の一方に対応する第１のデータ信号線と、該２つの画素列の他方に対応する第１のデータ信号線とには同極性の信号電位が供給され、行方向に隣り合う画素間では、第１および第２のデータ信号線との接続関係が逆になっている構成とすることもできる。こうすれば、上記画素行の各画素をドット反転させることができる。
【００１５】
この場合、１つの画素列の両側に該画素列に対応する第１および第２のデータ信号線が配され、隣接する２つの画素列の一方に対応する第１のデータ信号線と該２つの画素列の他方に対応する第１のデータ信号線とが画素列を挟むことなく隣接するか、あるいは該２つの画素列の一方に対応する第２のデータ信号線と該２つの画素列の他方に対応する第２のデータ信号線とが画素列を挟むことなく隣接している構成とすることもできる。こうすれば、画素列を挟むことなく隣接する（最近接する）２本のデータ信号線に供給される信号電位が常に同極性となるため、この２本のデータ信号線間の寄生容量に起因する電力消費を抑制でき、ソースドライバの負荷を小さくすることができる。
【００１６】
なお、１つの画素列の両側に該画素列に対応する第１および第２のデータ信号線が配され、隣接する２つの画素列の一方に対応する第１のデータ信号線と該２つの画素列の他方に対応する第２のデータ信号線とが画素列を挟むことなく隣接するか、あるいは該２つの画素列の一方に対応する第２のデータ信号線と該２つの画素列の他方に対応する第１のデータ信号線とが画素列を挟むことなく隣接している構成としても構わない。
【００１７】
本発明の液晶表示装置は、走査信号線の延伸方向を行方向とすれば、行および列方向に並ぶ画素を備えた液晶表示装置であって、１つの画素列に対応して第１および第２のデータ信号線が設けられ、該画素列に含まれる１つの画素は１本の走査信号線に接続されるとともに第１および第２のデータ信号線のいずれかに接続され、第１および第２のデータ信号線には互いに同極性の信号電位が供給され、上記画素列の所定画素を数え始めの１番目の画素とし、走査方向に数えて奇数番目にあたる２画素を対とするとともに偶数番目にあたる２画素を対とし、奇数番目にあたる２画素の対をｎ個（ｎは自然数）含むグループと、偶数番目にあたる２画素の対をｎ個含むグループとを交互に順序付けて考えた場合に、各対の２つの画素が異なるデータ信号線に接続され、各データ信号線に供給される信号電位の極性がｎ水平走査期間（ｎは自然数）ごとに反転することを特徴とする。
【００１８】
本液晶表示装置では、例えば、上記順序に従ってグループを選ぶとともに、選んだグループ内で、対をなす２つの画素それぞれに接続する走査信号線の同時選択を行い、ｎが２以上の場合にはこの同時選択を各対につき順次行うことで、２本の走査信号線を同時選択しつつ、こうすれば、上記画素列の各画素をドット反転させることができる。これにより、各画素をドット反転させてフリッカを抑制しつつ、２本の走査信号線を同時選択することで一水平走査期間を延ばし、画素充電時間を増やすことができる。
【００１９】
なお、本構成では、一水平走査期間を走査信号線が１本ずつ選択される場合と同じにすれば２倍の本数の走査信号線を走査することができ、走査信号線の本数を上記場合と同じにすれば一水平走査期間を２倍にすることができる。したがって、本液晶表示装置は、単位時間当たりのコマ数を２倍（例えば、１２０コマ／秒）にする倍速駆動に好適である。倍速駆動では必然的に画素充電時間が少なくなるが、本構成を用いることで、必要な画素充電時間を確保することができる。同様に、本液晶表示装置は、走査信号線が２１６０本のデジタルシネマ規格の表示装置や走査信号線が４３２０本のスーパーハイビジョン規格の表示装置にも好適である。
【００２０】
上記構成では、隣り合う２つの画素列の一方に対応する第１および第２のデータ信号線に供給される信号電位の極性と、該２つの画素列の他方に対応する第１および第２のデータ信号線に供給される信号電位の極性とが異なっている構成とすることもできる。こうすれば、上記画素行の各画素をドット反転させることができる。なお、上記構成では、各対の２つの画素は、連続する２つの奇数番目にあたるか、あるいは連続する２つの偶数番目にあたる構成とすることもできる。
【００２１】
本液晶表示装置では、電位制御可能な保持容量配線（例えば、保持容量配線信号が供給される保持容量配線）を複数備え、上記１つの画素には、第１および第２のトランジスタと、第１および第２の画素電極とが含まれ、該第１および第２の画素電極は、それぞれ第１および第２のトランジスタを介して同一のデータ信号線に接続され、上記第１および第２のトランジスタは上記１本の走査信号線に接続され、上記第１および第２の画素電極は、それぞれ異なる保持容量配線と保持容量を形成し、該第１および第２の画素電極と保持容量を形成する２本の保持容量配線それぞれの電位（例えば、２本の保持容量配線それぞれに供給される保持容量配線信号の電位）は、第１および第２のトランジスタに接続する走査信号線の走査終了に同期してあるいはその後に、互いに逆向きにレベルシフトする構成とすることもできる。こうすれば、１つの画素に明副画素と暗副画素とを形成して中間調を表示することができ、中間調表示時の視野角特性を高めることができる。この場合、列方向に隣り合う２つの画素に対応して１本の保持容量配線が設けられ、上記２つの画素の一方に設けられた第１あるいは第２の画素電極と上記２つの画素領域の他方に設けられた第１あるいは第２の画素電極とが、この保持容量配線と保持容量を形成している構成とすることもできる。こうすれば、１本の保持容量配線を２つの画素で共有することができ、保持容量配線数を少なくすることができる。さらに、本液晶表示装置では、各画素をドット反転させることができるため、本構成のように１本の保持容量配線を２つの画素で共有する場合にも、明副画素と暗副画素とを市松状に配置し、１画素列内において明副画素同士あるいは暗副画素同士が隣り合わないようにすることができる。これにより、ざらつき感（ジャギー）を抑制しながら視野角特性を高めることが可能となる。
【００２２】
本液晶表示装置では、上記第１および第２のデータ信号線に、各水平走査期間において予備電位（例えば、リフレッシュ用の電位）が供給された後に上記信号電位が供給される構成とすることもできる。このように、各水平走査期間の冒頭に予備電位を供給することで、大型、高精細あるいは高速駆動を行う液晶表示装置において、一水平走査期間前に同一データ信号線に供給された電位レベルの相異に起因する現水平走査期間での到達電位（充電率）のばらつきを抑えることができる。
【００２３】
本液晶表示装置では、走査信号線の走査期間と走査期間との間に、上記予備電位の供給タイミングに合わせた中途選択期間が設けられ、この中途選択期間に、該走査信号線に接続する画素へ上記予備電位が書き込まれる構成とすることもできる。こうすれば、各画素において、１フレーム期間の一部で特定の表示（例えば、黒表示）を行うことができ、動画表示時の尾引き等が低減され、動画表示品位を向上させることができる。
【００２４】
本液晶表示装置では、上記予備電位が一定値となっていてもよい。定電位とすることで、予備電位の供給が容易になる。この場合、上記一定値が信号電位のレンジの中央値であること値であってもよい。こうすれば、ノーマリブラックモードの液晶表示装置において、予備電位を黒表示電位とすることができる。また、上記予備電位が、一水平走査期間前に同一データ信号線に供給された信号電位と現水平走査期間の信号電位とに基づいて決定された値となっている構成とすることもできる。こうすれば、一水平走査期間前に同一データ信号線に供給された電位レベルの相異に起因する現水平走査期間の到達電位（充電率）のばらつきをより効果的に抑制することができる。
【００２５】
本液晶表示装置では、上記第１および第２のデータ信号線の一方が上記画素列の一方の側に配されるとともに、他方が上記画素列と重なるように配されている構成とすることもできる。こうすれば、画素列の両側に該画素列に対応するデータ信号線を配置する構成に比べてデータ信号線同士の距離を広く保つことができる。これにより、データ信号線同士の短絡率を減少させることができ、製造歩留まりを高めることができる。
【００２６】
本液晶表示装置では、同時選択される各走査信号線は、液晶パネル内で接続されるか、あるいは走査信号線を駆動するゲートドライバの同一出力端子に接続されている構成とすることもできる。
【００２７】
本液晶表示装置では、表示部に複数の領域が設けられるとともに、各領域に上記データ信号線および走査信号線並びに画素が設けられ、これらが領域ごとに個別駆動される構成とすることもできる。
【００２８】
本構成は、上記のように、１秒間に表示するコマ数（例えば、フレーム数、サブフレーム数、フィールド数）が６０よりも多い液晶表示装置（例えば、１２０コマ／秒の液晶表示装置）に好適である。
【００２９】
本液晶表示装置は、電位制御可能な複数の保持容量配線を備え、各画素には、第１および第２トランジスタと、第１および第２画素電極とが含まれ、該第１および第２画素電極は、それぞれ第１および第２トランジスタを介して同一のデータ信号線に接続され、上記第１および第２トランジスタは同一の走査信号線に接続され、上記第１および第２画素電極は異なる保持容量配線と保持容量を形成し、上記画素列の隣り合う２つの画素に対応して１本の保持容量配線が設けられ、上記２つの画素の一方に設けられたいずれかの画素電極と他方に設けられたいずれかの画素電極とが、この２つの画素に対応する１本の保持容量配線と保持容量を形成しており、１番目の画素の各画素電極と保持容量を形成する保持容量配線が１番目および２番目の保持容量配線であり、２番目の保持容量配線は、２番目の画素のいずかの画素電極とも保持容量を形成しており、１番目および２番目の画素の書き込み終了時あるいはその後に、１番目および２番目の保持容量配線の電位が同期して逆向きにレベルシフトし、１番目の保持容量配線を数え始めとして走査方向に数え、連続する２つの奇数番目にあたる保持容量配線間では、前番となる保持容量配線の電位のレベルシフトから１水平走査期間後に、後番となる保持容量配線の電位がこれと同じ向きにレベルシフトし、連続する２つの偶数番目にあたる保持容量配線間では、前番となる保持容量配線の電位のレベルシフトから１水平走査期間後に、後番となる保持容量配線の電位がこれと同じ向きにレベルシフトする構成とすることもできる。例えば、１番目および２番目の画素の書き込み終了時あるいはその後に、１番目および２番目の保持容量配線に供給される保持容量配線信号の電位が同期して逆向きにレベルシフトし、連続する奇数番目の各保持容量配線に供給される保持容量配線信号の位相は、１番目から順に１水平走査期間ずつ遅れ、連続する偶数番目の各保持容量配線に供給される保持容量配線信号の位相は、２番目から順に１水平走査期間ずつ遅れるようにする。
【００３０】
こうすれば、第１および第２のデータ信号線に供給される信号電位の極性が異なるマルチ画素構造の液晶表示装置を、簡易に構成することができる。
【００３１】
本液晶表示装置は、電位制御可能な複数の保持容量配線を備え、各画素には、第１および第２トランジスタと、第１および第２画素電極とが含まれ、該第１および第２画素電極は、それぞれ第１および第２トランジスタを介して同一のデータ信号線に接続され、上記第１および第２トランジスタは同一の走査信号線に接続され、上記第１および第２画素電極は異なる保持容量配線と保持容量を形成し、上記画素列の隣り合う２つの画素に対応して１本の保持容量配線が設けられ、上記２つの画素の一方に設けられたいずれかの画素電極と他方に設けられたいずれかの画素電極とが、この２つの画素に対応する１本の保持容量配線と保持容量を形成しており、１番目の画素の各画素電極と保持容量を形成する保持容量配線が１番目および２番目の保持容量配線であり、２番目の保持容量配線は、２番目の画素のいずれかの画素電極とも保持容量を形成しており、１番目の画素の各画素電極と保持容量を形成する保持容量配線が１番目および２番目の保持容量配線であり、２番目の保持容量配線は２番目の画素のいずれかの画素電極とも保持容量を形成しており、１番目および２番目の画素の書き込み終了時あるいはその後に、１番目および２番目の保持容量配線の電位が同期して逆向きにレベルシフトし、１番目の保持容量配線を数え始めとして走査方向に数え、奇数番目の保持容量配線を２本ずつ束にして考えた場合に、各束では、２本の保持容量配線の電位が同期して同じ向きにレベルシフトし、隣り合う２つの束間では、走査方向上流側に位置する束の各保持容量配線の電位がレベルシフトした２水平走査期間後に、走査方向下流側に位置する束の各保持容量配線の電位がレベルシフトし、偶数番目の保持容量配線を２本ずつ束にして考えた場合に、各束では、２本の保持容量配線の電位が同期して同じ向きにレベルシフトし、隣り合う２つの束間では、走査方向上流側に位置する束の各保持容量配線の電位がレベルシフトした２水平走査期間後に、走査方向下流側に位置する束の各保持容量配線の電位がレベルシフトすることを特徴とする。例えば、１番目および２番目の画素の書き込み終了時あるいはその後に、１番目および２番目の保持容量配線に供給される保持容量配線信号の電位が同期して逆向きにレベルシフトし、連続する奇数番目の各保持容量配線に供給される保持容量配線信号の位相は、１番目から順に２水平走査期間ずつ遅れ、連続する偶数番目の各保持容量配線に供給される保持容量配線信号の位相は、２番目から順に２水平走査期間ずつ遅れるようにする。
【００３２】
こうすれば、第１および第２のデータ信号線に供給される信号電位の極性が同じマルチ画素構造の液晶表示装置を、簡易に構成することができる。また、各束では、前番となる保持容量配線の電位のレベルシフトに同期して後番となる保持容量配線の電位がこれと同じ向きにレベルシフトする。すなわち、各束の２本の保持容量配線は同一の電位制御を行えばよく、これら保持容量配線に供給する信号（Ｃｓ信号）を共通化することができる。これにより、保持容量配線の制御回路を簡易化することができる。
【００３３】
本液晶表示装置の駆動方法は、走査信号線の延伸方向を行方向とすれば、行および列方向に並ぶ画素を備え、１つの画素列に対応して第１および第２のデータ信号線が設けられ、該画素列に含まれる１つの画素は１本の走査信号線に接続されるとともに第１および第２のデータ信号線のいずれかに接続され、上記画素列の所定画素を数え始めの１番目の画素とし、走査方向に数えて奇数番目の１画素と偶数番目の１画素とを対とするとともにｎ個（ｎは自然数）の対を１グループとし、各グループに順序を付して考えた場合に、同一のグループでは、対をなす２つの画素が異なるデータ信号線に接続されるとともに奇数番目の画素全てが１本のデータ信号線に接続されており、順序が連続する２つのグループ間では、一方のグループに含まれる奇数番目の画素が接続するデータ信号線と、他方のグループに含まれる奇数番目の画素が接続するデータ信号線とが異なっている液晶表示装置に対して、第１および第２のデータ信号線に互いに逆極性の信号電位を供給するとともに、各データ信号線に供給される信号電位の極性をｎ水平走査期間ごとに反転させ、かつ上記順序に従ってグループを選ぶとともに、選んだグループ内で、対をなす２つの画素それぞれに接続する走査信号線の同時選択を行い、ｎが２以上の場合にはこの同時選択を各対につき順次行うことを特徴とする。
【００３４】
本液晶表示装置の駆動方法は、走査信号線の延伸方向を行方向とすれば、行および列方向に並ぶ画素を備え、１つの画素列に対応して第１および第２のデータ信号線が設けられ、該画素列に含まれる１つの画素は１本の走査信号線に接続されるとともに第１および第２のデータ信号線のいずれかに接続され、上記画素列の所定画素を数え始めの１番目の画素とし、走査方向に数えて奇数番目の１画素と偶数番目の１画素とを対として各対に順序を付して考えた場合に、対をなす２つの画素が異なるデータ信号線に接続されるとともに、上記順序が連続する２つの対については、一方の対に含まれる奇数番目の画素が接続するデータ信号線と、他方の対に含まれる奇数番目の画素が接続するデータ信号線とが同一である液晶表示装置に対し、第１および第２のデータ信号線に、互いに逆極性の信号電位を供給するとともに、各データ信号線に供給される信号電位の極性を１垂直走査期間ごとに反転させ、かつ対をなす２つの画素それぞれに接続する走査信号線の同時選択を、上記順序に従って各対につき行うことを特徴とする。
【００３５】
本液晶表示装置の駆動方法は、走査信号線の延伸方向を行方向とすれば、行および列方向に並ぶ画素を備え、１つの画素列に対応して第１および第２のデータ信号線が設けられ、該画素列に含まれる１つの画素は１本の走査信号線に接続されるとともに第１および第２のデータ信号線のいずれかに接続され、上記画素列の所定画素を数え始めの１番目の画素とし、走査方向に数えて奇数番目にあたる２画素を対とするとともに偶数番目にあたる２画素を対とし、奇数番目にあたる２画素からなる対をｎ個含むグループと、偶数番目にあたる２画素からなる対をｎ個含むグループとを交互に順序付けて考えた場合に、対をなす２つの画素が異なるデータ信号線に接続された液晶表示装置に対し、第１および第２のデータ信号線に、互いに同極性の信号電位を供給するとともに、各データ信号線に供給される信号電位の極性をｎ水平走査期間（ｎは自然数）ごとに反転させ、かつ上記順序に従ってグループを選ぶとともに、選んだグループ内で、対をなす２つの画素それぞれに接続する走査信号線の同時選択を行い、ｎが２以上の場合にはこの同時選択を各対につき順次行うことを特徴とする。
【００３６】
本発明のテレビジョン受像機は、上記液晶表示装置と、テレビジョン放送を受信するチューナー部とを備えることを特徴とする。
【００３７】
以上のように、本液晶表示装置によれば、画素列の各画素をドット反転させてフリッカを抑制しつつ、２本の走査信号線を同時選択することで一水平走査期間を延ばし、画素充電時間を増やすことができる。
【図面の簡単な説明】
【００３８】
【図１】（ａ）は実施の形態１にかかる液晶表示装置の表示部を示す模式図であり、（ｂ）〜（ｄ）は該表示部の駆動方法を示す模式図である。
【図２】図１（ａ）に示す表示部の駆動方法を示すタイミングチャートである。
【図３】（ａ）は実施の形態１にかかる他の液晶表示装置の表示部を示す模式図であり、（ｂ）〜（ｄ）は該表示部の駆動方法を示す模式図である。
【図４】図３（ａ）に示す表示部の駆動方法を示すタイミングチャートである。
【図５】（ａ）は実施の形態１にかかるさらに他の液晶表示装置の表示部を示す模式図であり、（ｂ）〜（ｄ）は該表示部の駆動方法を示す模式図である。
【図６】図５（ａ）に示す表示部の駆動方法を示すタイミングチャートである。
【図７】（ａ）は実施の形態１にかかるさらに他の液晶表示装置の表示部を示す模式図であり、（ｂ）〜（ｄ）は該表示部の駆動方法を示す模式図である。
【図８】図７（ａ）に示す表示部の駆動方法を示すタイミングチャートである。
【図９】図１（ａ）に示す表示部の他の駆動方法を示すタイミングチャートである。
【図１０】図５（ａ）に示す表示部の他の駆動方法を示すタイミングチャートである。
【図１１】図１（ａ）に示す表示部のさらに他の駆動方法を示すタイミングチャートである。
【図１２】図５（ａ）に示す表示部のさらに他の駆動方法を示すタイミングチャートである。
【図１３】（ａ）は実施の形態２にかかる液晶表示装置の表示部を示す模式図であり、（ｂ）〜（ｄ）は該表示部の駆動方法を示す模式図である。
【図１４】図１３（ａ）に示す表示部の駆動方法を示すタイミングチャートである。
【図１５】（ａ）は実施の形態２にかかる他の液晶表示装置の表示部を示す模式図であり、（ｂ）〜（ｄ）は該表示部の駆動方法を示す模式図である。
【図１６】図１５（ａ）に示す表示部の駆動方法を示すタイミングチャートである。
【図１７】（ａ）は実施の形態２にかかるさらに他の液晶表示装置の表示部を示す模式図であり、（ｂ）〜（ｄ）は該表示部の駆動方法を示す模式図である。
【図１８】図１７（ａ）に示す表示部の駆動方法を示すタイミングチャートである。
【図１９】（ａ）は実施の形態２にかかるさらに他の液晶表示装置の表示部を示す模式図であり、（ｂ）〜（ｄ）は該表示部の駆動方法を示す模式図である。
【図２０】図１９（ａ）に示す表示部の駆動方法を示すタイミングチャートである。
【図２１】図１３（ａ）に示す表示部の他の駆動方法を示すタイミングチャートである。
【図２２】図１７（ａ）に示す表示部の他の駆動方法を示すタイミングチャートである。
【図２３】図１３（ａ）に示す表示部のさらに他の駆動方法を示すタイミングチャートである。
【図２４】図１７（ａ）に示す表示部のさらに他の駆動方法を示すタイミングチャートである。
【図２５】（ａ）は実施の形態３にかかる液晶表示装置の表示部を示す模式図であり、（ｂ）〜（ｄ）は該表示部の駆動方法を示す模式図である。
【図２６】図２５（ａ）に示す表示部の駆動方法を示すタイミングチャートである。
【図２７】（ａ）は実施の形態３にかかる他の液晶表示装置の表示部を示す模式図であり、（ｂ）〜（ｄ）は該表示部の駆動方法を示す模式図である。
【図２８】図２７（ａ）に示す表示部の駆動方法を示すタイミングチャートである。
【図２９】図２５（ａ）に示す表示部の他の駆動方法を示すタイミングチャートである。
【図３０】図２７（ａ）に示す表示部の他の駆動方法を示すタイミングチャートである。
【図３１】図２５（ａ）に示す表示部のさらに他の駆動方法を示すタイミングチャートである。
【図３２】図２７（ａ）に示す表示部のさらに他の駆動方法を示すタイミングチャートである。
【図３３】（ａ）は実施の形態４にかかる液晶表示装置の表示部を示す模式図であり、（ｂ）〜（ｅ）は該表示部の駆動方法を示す模式図である。
【図３４】図３３（ａ）に示す表示部の駆動方法を示すタイミングチャートである。
【図３５】（ａ）は実施の形態４にかかる他の液晶表示装置の表示部を示す模式図であり、（ｂ）・（ｃ）は該表示部の駆動方法を示す模式図である。
【図３６】図３５（ａ）に示す表示部の駆動方法を示すタイミングチャートである。
【図３７】図３３（ａ）に示す表示部の他の駆動方法を示すタイミングチャートである。
【図３８】図３５（ａ）に示す表示部の他の駆動方法を示すタイミングチャートである。
【図３９】図３３（ａ）に示す表示部のさらに他の駆動方法を示すタイミングチャートである。
【図４０】図３５（ａ）に示す表示部のさらに他の駆動方法を示すタイミングチャートである。
【図４１】データ信号線に供給する信号電位の極性を１垂直走査期間ごとに反転させる場合の、１水平走査期間前に供給された電位レベルによる現水平走査期間の到達電位のばらつきを示す波形図である。
【図４２】データ信号線に供給する信号電位の極性を１垂直走査期間ごとに反転させつつ１水平走査期間の冒頭にデータ信号線にリフレッシュ電位を供給する場合の、１水平走査期間前に供給された電位レベルによる現水平走査期間の到達電位のばらつきを示す波形図である。
【図４３】データ信号線に供給する信号電位の極性を１水平走査期間ごとに反転させつつ１水平走査期間の冒頭にデータ信号線にリフレッシュ電位を供給する場合の、１水平走査期間前に供給された電位レベルによる現水平走査期間の到達電位のばらつきを示す波形図である。
【図４４】データ信号線に供給する信号電位の極性を１水平走査期間ごとに反転させる場合の、１水平走査期間前に供給された電位レベルによる現水平走査期間の到達電位のばらつきを示す波形図である。
【図４５】本液晶表示装置（非画素分割方式）の構成を示すブロック図である。
【図４６】本液晶表示装置（画素分割方式）の構成を示すブロック図である。
【図４７】本液晶表示装置（非画素分割方式）の他の構成（領域分割駆動の構成）を示すブロック図である。
【図４８】本液晶表示装置（画素分割方式）の他の構成（領域分割駆動の構成）を示すブロック図である。
【図４９】（ａ）は本液晶表示装置のゲートドライバの構成を示すブロック図であり、（ｂ）は本液晶表示装置においてリフレッシュ駆動を行う場合のゲートドライバの構成を示すブロック図である。
【図５０】本液晶表示装置のデータ並び替え回路の構成を示すブロック図である。
【図５１】（ａ）（ｂ）は、本液晶表示装置においてリフレッシュ駆動を行う場合のソースドライバを示すブロック図である。
【図５２】本液晶表示装置においてリフレッシュ駆動を行う場合の他のソースドライバを示すブロック図である。
【図５３】本液晶表示装置における、画素列とこれに対応する第１および第２データ信号線の他の配置例を示す模式図である。
【図５４】本液晶表示装置の機能を説明するブロック図である。
【図５５】本テレビジョン受像機の機能を説明するブロック図である。
【図５６】本テレビジョン受像機の構成を示す分解斜視図である。
【図５７】データ信号線に供給する信号電位の極性を１垂直走査期間ごとに反転させ、かつアクティブリフレッシュ（リフレッシュ期間＝データ信号線の時定数の１００パーセント）を行った場合の、１水平走査期間前に供給された電位レベルによる現水平走査期間の到達電位のばらつきを示す波形図である。
【図５８】データ信号線に供給する信号電位の極性を１垂直走査期間ごとに反転させ、かつアクティブリフレッシュ（リフレッシュ期間＝データ信号線の時定数の９０パーセント）を行った場合の、１水平走査期間前に供給された電位レベルによる現水平走査期間の到達電
【符号の説明】
【００３９】
１０ａ〜１０ｋ・１０ｐ  表示部
Ｐ（ｉ，ｊ）  画素
Ｓ１ｘ  第１データ信号線
Ｓ２ｘ  第１データ信号線
Ｓ１ｙ  第２データ信号線
Ｓ２ｙ  第２データ信号線
Ｇ１〜Ｇ７  走査信号線
Ｃｓ１〜Ｃｓ７  保持容量配線
ＰＳ１  ＰＳ２  画素列
ＰＥ  画素電極
ＰＥ１  第１画素電極
ＰＥ２  第２の画素電極
８４  液晶表示ユニット
６０１  テレビジョン受像機
８００  液晶表示装置
【発明を実施するための最良の形態】
【００４０】
本発明にかかる実施の形態の例を、図１〜５３を用いて説明すれば、以下のとおりである。本液晶表示装置（例えば、ノーマリブラックモード）の表示部には、行および列方向に画素が並べられており、以下では、図中における、ｉ行目の画素行をＰＧｉ、ｊ列目の画素列をＰＳｊ、ｉ行目のｊ列目の画素をＰ（ｉ，ｊ）と記す。なお、説明の便宜のため、以下では走査信号線の延伸方向を行方向とする。ただし、本液晶表示装置の利用（視聴）状態において、その走査信号線が横方向に延伸していても縦方向に延伸していてもよいことはいうまでもない。また、１水平走査期間（１Ｈ）を、データ信号線に１画素に対応する電位（信号電位あるいは信号電位とリフレッシュ電位）が出力されている期間とする。【００４１】
〔実施の形態１〕
図１（ａ）は、本液晶表示装置の表示部の一構成例を示す模式図であり、図１（ｂ）〜（ｄ）は該表示部の駆動方法を示す模式図であり、図２は、該駆動方法を示すタイミングチャートである。図１（ａ）に示すように、表示部１０ａには、１つの画素列（例えば、ＰＳ１）に対応して第１および第２データ信号線（例えば、Ｓ１ｘ・Ｓ１ｙ）が設けられ、該画素列に含まれる１つの画素（例えば、Ｐ（１，１））は１本の走査信号線（例えば、Ｇ１）に接続されるとともに第１および第２のデータ信号線（例えば、Ｓ１ｘ・Ｓ１ｙ）のいずれかに接続される。具体的には、各画素列の１行目の画素から、列方向に隣り合う２つの画素を順に対としていき、その順に順序を付して考えた場合に、各対の２つの画素が異なるデータ信号線に接続されるとともに、順序が連続する２つの対については、一方の対に含まれる奇数番目の画素が接続するデータ信号線と、他方の対に含まれる奇数番目の画素が接続するデータ信号線とが同一となっている。すなわち、１つの画素列において、２行目以降の各画素は、前段の画素と異なるデータ信号線に接続される。なお、各画素においては、画素電極ＰＥがトランジスタ（ＴＦＴ）を介して１本のデータ信号線に接続され、該トランジスタのゲート端子は１本の走査信号線に接続されている。【００４２】
また、第１および第２データ信号線には互いに逆極性の信号電位が供給され、各データ信号線に供給される信号電位の極性は１垂直走査期間（１フレーム）ごとに反転する。さらに、１つの画素行に含まれる各画素は同一の走査信号線に接続され、隣接する２つの画素列の一方に対応する第１データ信号線と、該２つの画素列の他方に対応する第１データ信号線とには同極性の信号電位が供給され、行方向に隣り合う画素間では、第１および第２のデータ信号線との接続関係が逆になっている。ここで、画素列の両側に、該画素列に対応する第１および第２データ信号線が配されており、隣接する２つの画素列の一方に対応する第１データ信号線と該２つの画素列の他方に対応する第１データ信号線とが、画素列を挟むことなく隣接するか、あるいは該２つの画素列の一方に対応する第２データ信号線と該２つの画素列の他方に対応する第２データ信号線とが、画素列を挟むことなく隣接している。【００４３】
そして、そして、対をなす２つの画素それぞれに接続する走査信号線が同時選択される工程が、走査方向（上記順序）に従って順次行われる。すなわち、各走査信号線は、１行目の画素に接続する走査信号線から順に、隣り合う２本ずつ同時選択されていく。【００４４】
例えば画素列ＰＳ１についていえば、画素列ＰＳ１の両側に第１および第２データ信号線Ｓ１ｘ・Ｓ１ｙが配されており、１番目の画素Ｐ（１，１）と２番目の画素Ｐ（２，１）とが対とされ、画素Ｐ（１，１）が走査信号線Ｇ１に接続されるとともに第１データ信号線Ｓ１ｘに接続され、画素Ｐ（２，１）が走査信号線Ｇ２に接続されるとともに第２データ信号線Ｓ１ｙに接続され、同様に、３番目の画素Ｐ（３，１）と４番目の画素Ｐ（４，１）とが対とされ、画素Ｐ（３，１）が走査信号線Ｇ３に接続されるとともに第１データ信号線Ｓ１ｘに接続され、画素Ｐ（４，１）が走査信号線Ｇ４に接続されるとともに第２データ信号線Ｓ１ｙに接続され、同様に、５番目の画素Ｐ（５，１）と６行目の画素Ｐ（６，１）とが対とされ、画素Ｐ（５，１）が走査信号線Ｇ５に接続されるとともに第１データ信号線Ｓ１ｘに接続され、画素Ｐ（６，１）が走査信号線Ｇ６に接続されるとともに第２データ信号線Ｓ１ｙに接続されている。【００４５】
また、画素列ＰＳ２についていえば、画素列ＰＳ２の両側に第１および第２データ信号線Ｓ２ｘ・Ｓ２ｙが配されており、１番目の画素Ｐ（１，２）と２番目の画素Ｐ（２，２）とが対とされ、画素Ｐ（１，２）が走査信号線Ｇ１に接続されるとともに第２データ信号線Ｓ２ｙに接続され、画素Ｐ（２，２）が走査信号線Ｇ２に接続されるとともに第１データ信号線Ｓ２ｘに接続され、同様に、３番目の画素Ｐ（３，２）と４番目の画素Ｐ（４，２）とが対とされ、画素Ｐ（３，２）が走査信号線Ｇ３に接続されるとともに第２データ信号線Ｓ２ｙに接続され、画素Ｐ（４，２）が走査信号線Ｇ４に接続されるとともに第１データ信号線Ｓ２ｘに接続され、同様に、５番目の画素Ｐ（５，２）と６番目の画素Ｐ（６，２）とが対とされ、画素Ｐ（５，２）が走査信号線Ｇ５に接続されるとともに第２データ信号線Ｓ２ｙに接続され、画素Ｐ（６，２）が走査信号線Ｇ６に接続されるとともに第１データ信号線Ｓ２ｘに接続されている。【００４６】
上記第１および第２データ信号線Ｓ１ｘ・Ｓ１ｙについては、所定フレーム（図１（ｂ）〜（ｄ）に示した状態）では常に第１データ信号線Ｓ１ｘにプラス極性の電位が供給される一方、第２データ信号線Ｓ１ｙにマイナス極性の電位が供給され、次フレームでは、第１データ信号線Ｓ１ｘにマイナス極性の電位が供給される一方、第２データ信号線Ｓ１ｙにプラス極性の電位が供給される。また、上記第１および第２データ信号線Ｓ２ｘ・Ｓ２ｙについては、上記所定フレーム（図１（ｂ）〜（ｄ）に示した状態）では常に第１データ信号線Ｓ２ｘにプラス極性の電位が供給される一方、第２データ信号線Ｓ２ｙにマイナス極性の電位が供給され、次フレームでは、第１データ信号線Ｓ２ｘにマイナス極性の電位が供給される一方、第２データ信号線Ｓ２ｙにプラス極性の電位が供給される。なお、隣り合う画素列ＰＳ１・ＰＳ２において、画素列ＰＳ１に対応する第２データ信号線Ｓ１ｙと画素列ＰＳ２に対応する第２データ信号線Ｓ２ｙとが、画素列を挟むことなく隣接している。【００４７】
そして、図１（ｂ）〜（ｄ）および図２に示すように、画素Ｐ（１，１）・Ｐ（１，２）に接続する走査信号線Ｇ１と画素Ｐ（２，１）・Ｐ（２，２）に接続する走査信号線Ｇ２とがまず同時選択され、次いで、画素Ｐ（３，１）・Ｐ（３，２）に接続する走査信号線Ｇ３と画素Ｐ（４，１）・Ｐ（４，２）に接続する走査信号線Ｇ４とが同時選択され、次いで、画素Ｐ（５，１）・Ｐ（５，２）に接続する走査信号線Ｇ５と画素Ｐ（６，１）・Ｐ（６，２）に接続する走査信号線Ｇ６とが同時選択される。【００４８】
これにより、表示部１０ａでは、最初の水平走査期間に、第１データ信号線Ｓ１ｘから画素Ｐ（１，１）の画素電極にプラス極性の電位が書き込まれるのに同期して、第２データ信号線Ｓ１ｙから画素Ｐ（２，１）の画素電極にマイナス極性の電位が書き込まれるとともに、第２データ信号線Ｓ２ｙから画素Ｐ（１，２）の画素電極にマイナス極性の電位が書き込まれるのに同期して、第１データ信号線Ｓ２ｘから画素Ｐ（２，２）の画素電極にプラス極性の電位が書き込まれる（図１（ｂ）参照）。また、次の水平走査期間には、第１データ信号線Ｓ１ｘから画素Ｐ（３，１）の画素電極にプラス極性の電位が書き込まれるのに同期して、第２データ信号線Ｓ１ｙから画素Ｐ（４，１）の画素電極にマイナス極性の電位が書き込まれるとともに、第２データ信号線Ｓ２ｙから画素Ｐ（３，２）の画素電極にマイナス極性の電位が書き込まれるのに同期して、第１データ信号線Ｓ２ｘから画素Ｐ（４，２）の画素電極にプラス極性の電位が書き込まれる（図１（ｃ）参照）。さらに次の水平走査期間には、第１データ信号線Ｓ１ｘから画素Ｐ（５，１）の画素電極にプラス極性の電位が書き込まれるのに同期して、第２データ信号線Ｓ１ｙから画素Ｐ（６，１）の画素電極にマイナス極性の電位が書き込まれるとともに、第２データ信号線Ｓ２ｙから画素Ｐ（５，２）の画素電極にマイナス極性の電位が書き込まれるのに同期して、第１データ信号線Ｓ２ｘから画素Ｐ（６，２）の画素電極にプラス極性の電位が書き込まれる（図１（ｄ）参照）。【００４９】
このように、表示部１０ａによれば、２本の走査信号線を同時選択することで一水平走査期間を延ばしつつ、各画素をドット反転させることができる。すなわち、フリッカを抑制しつつ画素充電時間を増やすことが可能となる。また、画素列を挟むことなく隣接する（近接する）２本のデータ信号線（例えば、Ｓ１ｙおよびＳ２ｙ）に供給される信号電位が常に同極性となるため、この２本のデータ信号線間の寄生容量に起因する電力消費を抑制でき，ソースドライバの負荷を小さくすることができる。【００５０】
また、本構成では、一水平走査期間を走査信号線が１本ずつ選択される場合と同じにすれば２倍の本数の走査信号線を走査することができ、走査信号線の本数を上記場合と同じにすれば一水平走査期間を２倍にすることができる。したがって、本液晶表示装置は、単位時間当たりのコマ数を２倍（例えば、１２０コマ／秒）にする倍速駆動に好適である。倍速駆動では必然的に画素充電時間が少なくなるが、本構成を用いることで、必要な画素充電時間を確保することができる。同様に、本液晶表示装置は、走査信号線が２１６０本のデジタルシネマ規格の液晶表示装置や走査信号線が４３２０本のスーパーハイビジョン規格の液晶表示装置にも好適である。【００５１】
なお、本液晶表示装置の表示部を図３（ａ）のように構成することもできる。図３（ａ）の表示部１０ｂが図１（ａ）の表示部１０ａと異なる点は、隣接する２つの画素列の一方に対応する第２データ信号線と該２つの画素列の他方に対応する第１データ信号線とが画素列を挟むことなく隣接するか、あるいは該２つの画素列の一方に対応する第１データ信号線と該２つの画素列の他方に対応する第２データ信号線とが画素列を挟むことなく隣接している点である。【００５２】
例えば、画素列ＰＳ１の両側に第１および第２データ信号線Ｓ１ｘ・Ｓ１ｙが配され、画素列ＰＳ２の両側に第１および第２データ信号線Ｓ２ｘ・Ｓ２ｙが配され、画素列ＰＳ１に対応する第２データ信号線Ｓ１ｙと、画素列ＰＳ２に対応する第１データ信号線Ｓ２ｘとが隣接している。表示部１０ｂの駆動方法を図４に示し、各画素への書き込み状態を図３（ｂ）〜（ｄ）に示す。これらの図に示されるように、表示部１０ｂによっても、一水平走査期間を延ばしつつ、各画素をドット反転させることができる。【００５３】
図１（ａ）の表示部１０ａを、例えば図５（ａ）に示すような画素分割方式（マルチ画素構造）とすることもできる。図５（ａ）に示す表示部１０ｃでは、１つの画素を横切るように該画素に対応する１本の走査信号線が設けられ、走査信号線と平行に複数の保持容量配線が設けられる。各画素には、走査信号線の一方側に第１トランジスタおよび第１画素電極ＰＥ１が設けられるとともに該走査信号線の他方側に第２トランジスタおよび第２画素電極ＰＥ２が設けられており、第１および第２画素電極ＰＥ１・ＰＥ２は、それぞれ第１および第２トランジスタを介して同一のデータ信号線に接続され、第１および第２のトランジスタは同一の走査信号線に接続され、第１および第２の画素電極ＰＥ１・ＰＥ２は、それぞれ異なる保持容量配線と保持容量を形成している。また、列方向に隣り合う２つの画素（２つの画素列）に対応して１本の保持容量配線が設けられ、該２つの画素の一方に設けられた第１あるいは第２の画素電極と上記２つの画素領域の他方に設けられた第１あるいは第２の画素電極とが、この保持容量配線と保持容量を形成している。なお、各画素（これに含まれる第１および第２画素電極ＰＥ１・ＰＥ２、並びに第１および第２トランジスタ）とデータ信号線および走査信号線との接続関係は、図１（ａ）の表示部１０ａと同様である。【００５４】
例えば、画素Ｐ（１，１）を横切るように走査信号線Ｇ１が設けられ、走査信号線（Ｇ１〜Ｇ６）と平行に複数の保持容量配線（Ｃｓ１〜Ｃｓ７）が設けられる。画素Ｐ（１，１）には、走査信号線Ｇ１の一方側に第１トランジスタおよび第１画素電極ＰＥ１が設けられるとともにその他方側に第２トランジスタおよび第２画素電極ＰＥ２が設けられており、第１画素電極ＰＥ１は第１トランジスタを介して第１データ信号線Ｓ１ｘに接続されるとともに第２画素電極ＰＥ２は第２トランジスタを介して第１データ信号線Ｓ１ｘに接続され、第１および第２トランジスタは走査信号線Ｇ１に接続され、第１画素電極ＰＥ１は保持容量配線Ｃｓ１と保持容量を形成し、第２画素電極ＰＥ２は保持容量配線Ｃｓ２と保持容量を形成している。また、画素Ｐ（２，１）の第１画素電極ＰＥ１は第１トランジスタを介して第２データ信号線Ｓ１ｙに接続されるとともに第２画素電極ＰＥ２は第２トランジスタを介して第２データ信号線Ｓ１ｙに接続され、該第１および第２トランジスタは走査信号線Ｇ２に接続され、画素Ｐ（２，１）の第１画素電極ＰＥ１は保持容量配線Ｃｓ２と保持容量を形成するとともに、第２画素電極ＰＥ２は保持容量配線Ｃｓ３と保持容量を形成している。また、画素Ｐ（１，２）の第１画素電極ＰＥ１は第１トランジスタを介して第２データ信号線Ｓ２ｙに接続されるとともに第２画素電極ＰＥ２は第２トランジスタを介して第２データ信号線Ｓ２ｙに接続され、該第１および第２トランジスタは走査信号線Ｇ１に接続され、画素Ｐ（１，２）の第１画素電極ＰＥ１は保持容量配線Ｃｓ２と保持容量を形成するとともに、第２画素電極ＰＥ２は保持容量配線Ｃｓ１と保持容量を形成している。また、画素Ｐ（２，２）の第１画素電極ＰＥ１は第１トランジスタを介して第１データ信号線Ｓ２ｘに接続されるとともに第２画素電極ＰＥ２は第２トランジスタを介して第１データ信号線Ｓ２ｘに接続され、該第１および第２トランジスタは走査信号線Ｇ２に接続され、画素Ｐ（２，２）の第１画素電極ＰＥ１は保持容量配線Ｃｓ３と保持容量を形成するとともに、第２画素電極ＰＥ２は保持容量配線Ｃｓ２と保持容量を形成している。このように、本構成では、列方向に隣り合う２つの画素（Ｐ（１，１）とＰ（２，１）あるいはＰ（１，２）とＰ（２，２））で保持容量配線Ｃｓ２を共有している。【００５５】
図６は表示部１０ｃの各データ信号線および各走査信号線、並びに各保持容量配線の駆動方法を示すタイミングチャートである。図６に示すように、各データ信号線および各走査信号線の駆動方法は図２と同様であり、１つの画素に接続する走査信号線をＯＦＦするのに同期して、あるいはＯＦＦした後に、該画素の第１および第２の画素電極ＰＥ１・ＰＥ２と保持容量を形成する２本の保持容量配線の電位を、互いに逆方向（突き上げ・突き下げ方向）にレベルシフトさせる。例えば、走査信号線Ｇ１・Ｇ２がＯＦＦするのに同期して、保持容量配線Ｃｓ１の電位を突き上げる方向にレベルシフトさせるとともに保持容量配線Ｃｓ２の電位を突き下げる方向にレベルシフトさせ、走査信号線Ｇ３・Ｇ４がＯＦＦするのに同期して、保持容量配線Ｃｓ３の電位を突き上げる方向にレベルシフトさせるとともに保持容量配線Ｃｓ４の電位を突き下げる方向にレベルシフトさせる。【００５６】
より具体的には、表示部１０ｃの各保持容量配線は以下のように形成され、そして電位制御される。すなわち、１行目の画素（例えば、Ｐ（１，１））の各画素電極ＰＥ１・ＰＥ２と保持容量を形成する保持容量配線が１番目および２番目の保持容量配線Ｃｓ１・Ｃｓ２であり、２番目の保持容量配線Ｃｓ２は２行目の画素（例えば、Ｐ（２，１））の画素電極ＰＥ２とも保持容量を形成しており、１行目および２行目の画素の同時書き込み終了時あるいはその後に、１番目および２番目の保持容量配線Ｃｓ１・Ｃｓ２の電位が同期して逆向きにレベルシフトし、連続する２つの奇数番目にあたる保持容量配線（例えば、Ｃｓ１・Ｃｓ３）間では、前番となる保持容量配線（例えば、Ｃｓ１）の電位のレベルシフトから１水平走査期間後に、後番となる保持容量配線（例えば、Ｃｓ３）の電位がこれと同じ向きにレベルシフトし、連続する２つの偶数番目にあたる保持容量配線（例えば、Ｃｓ２・Ｃｓ４）間では、前番となる保持容量配線（例えば、Ｃｓ２）の電位のレベルシフトから１水平走査期間後に、後番となる保持容量配線（例えば、Ｃｓ４）の電位がこれと同じ向きにレベルシフトする。なお、各保持容量配線の電位レベルシフトの周期は、１垂直走査期間（１フレーム期間）である。【００５７】
表示部１０ｃでは、図５（ｂ）に示すように、最初の水平走査期間に走査信号線Ｇ１・Ｇ２が同時にＯＮ（選択）され、第１データ信号線Ｓ１ｘから画素Ｐ（１，１）の第１および第２画素電極ＰＥ１・ＰＥ２にプラス極性の同一電位が書き込まれるのに同期して、第２データ信号線Ｓ１ｙから画素Ｐ（２，１）の第１および第２画素電極ＰＥ１・ＰＥ２にマイナス極性の同一電位が書き込まれるとともに、第２データ信号線Ｓ２ｙから画素Ｐ（１，２）の第１および第２画素電極ＰＥ１・ＰＥ２にマイナス極性の同一電位が書き込まれるのに同期して、第１データ信号線Ｓ２ｘから画素Ｐ（２，２）の第１および第２画素電極ＰＥ１・ＰＥ２へプラス極性の同一電位が書き込まれる。【００５８】
そして、走査信号線Ｇ１・Ｇ２が同時にＯＦＦされるのに同期して、保持容量配線Ｃｓ１が突き上げるとともに保持容量配線Ｃｓ２が突き下げる。これにより、画素Ｐ（１，１）の第１画素電極ＰＥ１を含む部分は明副画素、画素Ｐ（１，１）の第２画素電極ＰＥ２を含む部分は暗副画素、画素Ｐ（２，１）の第１画素電極ＰＥ１を含む部分は明副画素、画素Ｐ（１，２）の第１画素電極ＰＥ１を含む部分は明副画素、画素Ｐ（１，２）の第２画素電極ＰＥ２を含む部分は暗副画素、画素Ｐ（２，２）の第２画素電極ＰＥ２を含む部分は暗副画素となる。次の水平走査期間については図５（ｃ）のとおりであり、その次の水平走査期間については図５（ｄ）のとおりである。これにより、画素列ＰＳ１では、副画素が、明、暗、明、暗、明・・・の順に並ぶ一方、画素列ＰＳ２では、副画素が、暗、明、暗、明、暗・・・の順に並び、明副画素と暗副画素とが市松状に配置される。【００５９】
このように、表示部１０ｃによれば、フリッカを抑制しつつ画素充電時間を増やし、かつ視野角特性も高める（すなわち、１つの画素に明副画素と暗副画素とを形成して中間調を表示し、中間調表示時の白浮き等を抑制する）ことが可能となる。また、画素列を挟むことなく隣接する（近接する）２本のデータ信号線（例えば、Ｓ１ｙおよびＳ２ｙ）に供給される信号電位が常に同極性となるため、この２本のデータ信号線間の寄生容量に起因する電力消費を抑制でき，ソースドライバの負荷を小さくすることができる。【００６０】
また、本構成では、明副画素と暗副画素とを市松状に配置し、明副画素同士あるいは暗副画素同士が隣り合わないようにすることができる。これにより、ざらつき感（ジャギー）を抑制しながら視野角特性を高めることが可能となる。【００６１】
なお、本構成でも、一水平走査期間を走査信号線が１本ずつ選択される場合と同じにすれば２倍の本数の走査信号線を走査することができ、走査信号線の本数を上記場合と同じにすれば一水平走査期間を２倍にすることができる。したがって、本液晶表示装置は、倍速駆動を行う液晶表示装置やデジタルシネマ規格あるいはスーパーハイビジョン規格の液晶表示装置に好適である。【００６２】
なお、本液晶表示装置の表示部を図７（ａ）のように構成することもできる。図７（ａ）の表示部１０ｄが図５（ａ）の表示部１０ｃと異なる点は、隣接する２つの画素列の一方に対応する第２データ信号線と該２つの画素列の他方に対応する第１データ信号線とが画素列を挟むことなく隣接するか、あるいは該２つの画素列の一方に対応する第１データ信号線と該２つの画素列の他方に対応する第２データ信号線とが画素列を挟むことなく隣接している点である。【００６３】
例えば、画素列ＰＳ１の両側に第１および第２データ信号線Ｓ１ｘ・Ｓ１ｙが配され、画素列ＰＳ２の両側に第１および第２データ信号線Ｓ２ｘ・Ｓ２ｙが配され、画素列ＰＳ１に対応する第２データ信号線Ｓ１ｙと、画素列ＰＳ２に対応する第１データ信号線Ｓ２ｘとが隣接している。表示部１０ｄの駆動方法を図８に示し、各画素への書き込み状態を図７（ｂ）〜（ｄ）に示す。これらの図に示されるように、表示部１０ｄによっても、一水平走査期間を延ばしつつ各画素をドット反転させ、かつ視野角特性を高めることができる。また、明副画素と暗副画素とを市松状に配置し、明副画素同士あるいは暗副画素同士が隣り合わないようにすることができる。これにより、ざらつき感（ジャギー）を抑制しながら視野角特性を高めることが可能となる。【００６４】
図１（ａ）の表示部１０ａを、図９に示すように駆動することも可能である。すなわち、各水平走査期間の冒頭にリフレッシュ期間Ｒを設け、このリフレッシュ期間Ｒには、各データ信号線にリフレッシュ電位（予備電位、例えばＶｃｏｍ）を供給する。なお、リフレッシュ期間Ｒは、例えば、ラッチストローブ信号ＬＳが「Ｈｉｇｈ」になっている期間に同期させる（後述）。こうすれば、大型化、高精細化あるいは高速駆動化等によって必然的に画素充電時間が小さくなる液晶表示装置において、一水平走査期間前に同一データ信号線に供給された電位レベルの相異に起因する現水平走査期間の到達電位（充電率）のばらつきを抑制することができる。この点につき、本願発明者らは、例えば１２０コマ／秒の倍速駆動時において、現水平走査期間の階調が中間調（例えば、０〜２５５階調の２５６階調表示での１０１階調、階調電位Ｖ１０１＝２．１Ｖ（コモン電位を電位０としたときの電位））である場合に、一水平走査期間前に供給された電位レベルが白階調に対応する値である場合と、黒階調に対応する値である場合とで、画素電位の到達レベル（以下、到達電位）が異なることを見出した。例えば、上記倍速駆動時において、データ信号線に供給される信号電位の極性が１フレーム中プラス極性であって現水平走査期間の階調が中間調の場合、図４１に示すように、一水平走査期間前に該データ信号線に供給された電位レベルが白階調に対応する値（階調電位Ｖ２５５＝７．５Ｖ）のときには現水平走査期間の到達電位が設定階調電位を越えたレベルになる反面、上記電位レベルが黒階調に対応する値（階調電位Ｖ０＝０Ｖ）のときは現水平走査期間の到達電位が設定階調電位未満のレベルとなる。ここで、図９のように、各水平走査期間冒頭のリフレッシュ期間Ｒにリフレッシュ電位（Ｖｃｏｍ）を供給して倍速駆動を行うと、図４２に示すように、一水平走査期間前に該データ信号線に供給された電位レベルが白階調に対応する値のときの到達電位を下げることができる。これにより、上記電位レベルが白階調に対応する値である場合の到達電位と、黒階調に対応する値である場合の到達電位とを近づけることができる。なお、図４１・４２は上記のとおり倍速駆動時のものであり、１Ｈ（一水平走査期間）が１４．８２〔μｓ〕、リフレッシュ期間が３〔μｓ〕となっている。また、図９についても、倍速駆動時には、１Ｈおよびリフレッシュ期間Ｒの具体的時間は上記のようになる。【００６５】
なお、画素分割方式である図５（ａ）の表示部１０ｃを図１０のように駆動することでも、一水平走査期間前に同一データ信号線に供給された電位レベルの相異に起因する現水平走査期間の到達電位（充電率）のばらつきを抑制することができる。【００６６】
また、図１（ａ）の表示部１０ａを、図１１に示すように駆動することも可能である。すなわち、各水平走査期間の冒頭にリフレッシュ期間Ｒを設けて該リフレッシュ期間Ｒに各データ信号線へリフレッシュ電位（例えば、Ｖｃｏｍ）を供給するとともに、各走査信号線を、前回の走査から２／３フレーム期間程度経過したタイミングで、リフレッシュ期間Ｒと同期するように複数回（例えば、３回）選択し、この中途選択期間において各走査信号線に接続する画素に上記リフレッシュ電位（例えば、Ｖｃｏｍ）を書き込む。中途選択期間は一水平走査期間よりも短期間であるが、中途選択期間を一水平走査期間の間隔をおいて複数回設けてインパルス駆動を行うことで、各画素に黒を書き込む（黒挿入する）ことができる。こうすれば、各画素は、１フレーム期間のうち２／３フレーム期間は入力映像データを表示する一方、残りの１／３フレーム期間は黒表示を行うことになるため、動画表示時の尾引き等が低減され、動画表示品位を向上させることができる。【００６７】
なお、画素分割方式である図５（ａ）の表示部１０ｃを、図１２のように駆動することでも、動画表示時の尾引き等が低減され、動画表示品位を向上させることができる。【００６８】
〔実施の形態２〕
図１３（ａ）は、本液晶表示装置の表示部の一構成例を示す模式図であり、図１３（ｂ）〜（ｄ）は該表示部の駆動方法を示す模式図であり、図１４は、該駆動方法を示すタイミングチャートである。図１３（ａ）に示すように、表示部１０ｅには、１つの画素列（例えば、ＰＳ１）に対応して第１および第２データ信号線（例えば、Ｓ１ｘ・Ｓ１ｙ）が設けられ、該画素列に含まれる１つの画素（例えば、Ｐ（１，１））は１本の走査信号線（例えば、Ｇ１）に接続されるとともに第１および第２のデータ信号線（例えば、Ｓ１ｘ・Ｓ１ｙ）のいずれかに接続される。具体的には、各画素列の１行目の画素から、列方向に隣り合う２つの画素を順に対としていき、その順に順序を付して考えた場合に、各対の２つの画素が異なるデータ信号線に接続されるとともに、順序が連続する２つの対については、一方の対に含まれる奇数番目の画素が接続するデータ信号線と、他方の対に含まれる奇数番目の画素が接続するデータ信号線とが異なっている。すなわち、１行目の画素を数え始めの１番目の画素とし、走査方向に数えて２×１×ｉ＋１番目（ｉは自然数）の画素以外は前段の画素と異なるデータ信号線に接続される一方、２×１×ｉ＋１番目の画素は前段の画素と同じデータ信号線に接続される。なお、各画素においては、画素電極ＰＥがトランジスタ（ＴＦＴ）を介して１本のデータ信号線に接続され、該トランジスタのゲート端子は１本の走査信号線に接続されている。【００６９】
また、第１および第２データ信号線には互いに逆極性の信号電位が供給され、各データ信号線に供給される信号電位の極性は１水平走査期間（１Ｈ）ごとに反転する。さらに、１つの画素行に含まれる各画素は同一の走査信号線に接続され、隣接する２つの画素列の一方に対応する第１データ信号線と、該２つの画素列の他方に対応する第１データ信号線とには同極性の信号電位が供給され、行方向に隣り合う画素間では、第１および第２のデータ信号線との接続関係が逆になっている。ここで、画素列の両側に、該画素列に対応する第１および第２データ信号線が配されており、隣接する２つの画素列の一方に対応する第１データ信号線と該２つの画素列の他方に対応する第１データ信号線とが、画素列を挟むことなく隣接するか、あるいは該２つの画素列の一方に対応する第２データ信号線と該２つの画素列の他方に対応する第２データ信号線とが、画素列を挟むことなく隣接している。【００７０】
そして、対をなす２つの画素それぞれに接続する走査信号線の同時選択が、走査方向（上記順序）に従って順次行われる。すなわち、各走査信号線は、１行目の画素に接続する走査信号線から順に、隣り合う２本ずつ同時選択されていく。【００７１】
例えば画素列ＰＳ１についていえば、画素列ＰＳ１の両側に第１および第２データ信号線Ｓ１ｘ・Ｓ１ｙが配されており、１番目の画素Ｐ（１，１）と２番目の画素Ｐ（２，１）とが対とされ、画素Ｐ（１，１）が走査信号線Ｇ１に接続されるとともに第１データ信号線Ｓ１ｘに接続され、画素Ｐ（２，１）が走査信号線Ｇ２に接続されるとともに第２データ信号線Ｓ１ｙに接続され、同様に、３番目の画素Ｐ（３，１）と４番目の画素Ｐ（４，１）とが対とされ、画素Ｐ（３，１）が走査信号線Ｇ３に接続されるとともに第２データ信号線Ｓ１ｙに接続され、画素Ｐ（４，１）が走査信号線Ｇ４に接続されるとともに第１データ信号線Ｓ１ｘに接続され、同様に、５番目の画素Ｐ（５，１）と６行目の画素Ｐ（６，１）とが対とされ、画素Ｐ（５，１）が走査信号線Ｇ５に接続されるとともに第１データ信号線Ｓ１ｘに接続され、画素Ｐ（６，１）が走査信号線Ｇ６に接続されるとともに第２データ信号線Ｓ１ｙに接続されている。【００７２】
また、画素列ＰＳ２についていえば、画素列ＰＳ２の両側に第１および第２データ信号線Ｓ２ｘ・Ｓ２ｙが配されており、１番目の画素Ｐ（１，２）と２番目の画素Ｐ（２，２）とが対とされ、画素Ｐ（１，２）が走査信号線Ｇ１に接続されるとともに第２データ信号線Ｓ２ｙに接続され、画素Ｐ（２，２）が走査信号線Ｇ２に接続されるとともに第１データ信号線Ｓ２ｘに接続され、同様に、３番目の画素Ｐ（３，２）と４番目の画素Ｐ（４，２）とが対とされ、画素Ｐ（３，２）が走査信号線Ｇ３に接続されるとともに第１データ信号線Ｓ２ｘに接続され、画素Ｐ（４，２）が走査信号線Ｇ４に接続されるとともに第２データ信号線Ｓ２ｙに接続され、同様に、５番目の画素Ｐ（５，２）と６番目の画素Ｐ（６，２）とが対とされ、画素Ｐ（５，２）が走査信号線Ｇ５に接続されるとともに第２データ信号線Ｓ２ｙに接続され、画素Ｐ（６，２）が走査信号線Ｇ６に接続されるとともに第１データ信号線Ｓ２ｘに接続されている。【００７３】
上記第１および第２データ信号線Ｓ１ｘ・Ｓ１ｙについては、所定水平走査期間（図１３（ｂ）に示した状態）では第１データ信号線Ｓ１ｘにプラス極性の電位が供給される一方、第２データ信号線Ｓ１ｙにマイナス極性の電位が供給され、次の水平走査期間（図１３（ｃ）に示した状態）では、第１データ信号線Ｓ１ｘにマイナス極性の電位が供給される一方、第２データ信号線Ｓ１ｙにプラス極性の電位が供給される。また、上記第１および第２データ信号線Ｓ２ｘ・Ｓ２ｙについては、所定水平走査期間（図１３（ｂ）に示した状態）では第１データ信号線Ｓ２ｘにプラス極性の電位が供給される一方、第２データ信号線Ｓ２ｙにマイナス極性の電位が供給され、次の水平走査期間（図１３（ｃ）に示した状態）では、第１データ信号線Ｓ２ｘにマイナス極性の電位が供給される一方、第２データ信号線Ｓ２ｙにプラス極性の電位が供給される。なお、隣り合う画素列ＰＳ１・ＰＳ２において、画素列ＰＳ１に対応する第２データ信号線Ｓ１ｙと画素列ＰＳ２に対応する第２データ信号線Ｓ２ｙとが、画素列を挟むことなく隣接している。【００７４】
そして、図１３（ｂ）〜（ｄ）および図１４に示すように、画素Ｐ（１，１）・Ｐ（１，２）に接続する走査信号線Ｇ１と画素Ｐ（２，１）・Ｐ（２，２）に接続する走査信号線Ｇ２とがまず同時選択され、次いで、画素Ｐ（３，１）・Ｐ（３，２）に接続する走査信号線Ｇ３と画素Ｐ（４，１）・Ｐ（４，２）に接続する走査信号線Ｇ４とが同時選択され、次いで、画素Ｐ（５，１）・Ｐ（５，２）に接続する走査信号線Ｇ５と画素Ｐ（６，１）・Ｐ（６，２）に接続する走査信号線Ｇ６とが同時選択される。【００７５】
これにより、表示部１０ｅでは、最初の水平走査期間に、第１データ信号線Ｓ１ｘから画素Ｐ（１，１）の画素電極にプラス極性の電位が書き込まれるのに同期して、第２データ信号線Ｓ１ｙから画素Ｐ（２，１）の画素電極にマイナス極性の電位が書き込まれるとともに、第２データ信号線Ｓ２ｙから画素Ｐ（１，２）の画素電極にマイナス極性の電位が書き込まれるのに同期して、第１データ信号線Ｓ２ｘから画素Ｐ（２，２）の画素電極にプラス極性の電位が書き込まれる（図１３（ｂ）参照）。また、次の水平走査期間には、第２データ信号線Ｓ１ｙから画素Ｐ（３，１）の画素電極にプラス極性の電位が書き込まれるのに同期して、第１データ信号線Ｓ１ｘから画素Ｐ（４，１）の画素電極にマイナス極性の電位が書き込まれるとともに、第１データ信号線Ｓ２ｘから画素Ｐ（３，２）の画素電極にマイナス極性の電位が書き込まれるのに同期して、第２データ信号線Ｓ２ｙから画素Ｐ（４，２）の画素電極にプラス極性の電位が書き込まれる（図１３（ｃ）参照）。さらに次の水平走査期間には、第１データ信号線Ｓ１ｘから画素Ｐ（５，１）の画素電極にプラス極性の電位が書き込まれるのに同期して、第２データ信号線Ｓ１ｙから画素Ｐ（６，１）の画素電極にマイナス極性の電位が書き込まれるとともに、第２データ信号線Ｓ２ｙから画素Ｐ（５，２）の画素電極にマイナス極性の電位が書き込まれるのに同期して、第１データ信号線Ｓ２ｘから画素Ｐ（６，２）の画素電極にプラス極性の電位が書き込まれる（図１３（ｄ）参照）。【００７６】
このように、表示部１０ｅによれば、２本の走査信号線を同時選択することで一水平走査期間を延ばしつつ、各画素をドット反転させることができる。すなわち、フリッカを抑制しつつ画素充電時間を増やすことが可能となる。また、画素列を挟むことなく隣接する（近接する）２本のデータ信号線（例えば、Ｓ１ｙおよびＳ２ｙ）に供給される信号電位が常に同極性となるため、この２本のデータ信号線間の寄生容量に起因する電力消費を抑制でき，ソースドライバの負荷を小さくすることができる。【００７７】
また、本構成では、一水平走査期間を走査信号線が１本ずつ選択される場合と同じにすれば２倍の本数の走査信号線を走査することができ、走査信号線の本数を上記場合と同じにすれば一水平走査期間を２倍にすることができる。したがって、本液晶表示装置は、単位時間当たりのコマ数を２倍（例えば、１２０コマ／秒）にする倍速駆動に好適である。倍速駆動では必然的に画素充電時間が少なくなるが、本構成を用いることで、必要な画素充電時間を確保することができる。同様に、本液晶表示装置は、走査信号線が２１６０本のデジタルシネマ規格の液晶表示装置や走査信号線が４３２０本のスーパーハイビジョン規格の液晶表示装置にも好適である。【００７８】
さらに、本構成ではデータ信号線に供給される信号電位の極性を１水平走査期間単位で反転させるため、大型、高精細あるいは高速駆動等によって必然的に画素充電時間が小さくなる液晶表示装置において、一水平走査期間前に同一データ信号線に供給された電位レベルの相異に起因する現水平走査期間の到達電位（充電率）のばらつきを概ね解消することができる。すなわち、倍速駆動時において、データ信号線に供給される信号電位の極性が１フレーム中プラス極性であって現水平走査期間の階調が中間調の場合には、上記のとおり一水平走査期間前に供給された電位レベルの相異によって到達電位がばらつくが（図４１参照）、図１４のようにデータ信号線に供給される信号電位の極性を１水平走査期間ごとに反転させて倍速駆動を行うことで、図４４に示すように、一水平走査期間前に供給された電位レベルが白階調に対応する値（階調電位Ｖ２５５＝−７．５Ｖ（コモン電位を電位０としたときの電位））である場合の画素電位の波形と、該電位レベルが黒階調（階調電位Ｖ０＝０Ｖ）に対応する場合の画素電位の波形と、上記電位レベルが中間調に対応する場合の画素電位の波形とを揃えることができ、各場合の到達電位をほぼ一致させることができる。なお、図４４は上記のとおり倍速駆動時のものであり、１Ｈ（一水平走査期間）が１４．８２〔μｓ〕となっている。また、図１４についても、倍速駆動時には、１Ｈの具体的時間は上記のようになる。【００７９】
なお、本液晶表示装置の表示部を図１５（ａ）のように構成することもできる。図１５（ａ）の表示部１０ｆが図１３（ａ）の表示部１０ｅと異なる点は、隣接する２つの画素列の一方に対応する第２データ信号線と該２つの画素列の他方に対応する第１データ信号線とが画素列を挟むことなく隣接するか、あるいは該２つの画素列の一方に対応する第１データ信号線と該２つの画素列の他方に対応する第２データ信号線とが画素列を挟むことなく隣接している点である。【００８０】
例えば、画素列ＰＳ１の両側に第１および第２データ信号線Ｓ１ｘ・Ｓ１ｙが配され、画素列ＰＳ２の両側に第１および第２データ信号線Ｓ２ｘ・Ｓ２ｙが配され、画素列ＰＳ１に対応する第２データ信号線Ｓ１ｙと、画素列ＰＳ２に対応する第１データ信号線Ｓ２ｘとが隣接している。表示部１０ｆの駆動方法を図１６に示し、各画素への書き込み状態を図１５（ｂ）〜（ｄ）に示す。これらの図に示されるように、表示部１０ｆによっても、フリッカを抑制しつつ画素充電時間を増やすとともに、一水平走査期間前に供給された電位レベルの相異によって現水平走査期間での到達電位（充電率）がばらつくという問題を概ね解消することができる。【００８１】
図１３（ａ）の表示部１０ｅを、例えば図１７（ａ）に示すような画素分割方式（マルチ画素構造）とすることもできる。図１７（ａ）に示す表示部１０ｇでは、１つの画素を横切るように該画素に対応する１本の走査信号線が設けられ、走査信号線と平行に複数の保持容量配線が設けられる。各画素には、走査信号線の一方側に第１トランジスタおよび第１画素電極ＰＥ１が設けられるとともに該走査信号線の他方側に第２トランジスタおよび第２画素電極ＰＥ２が設けられており、第１および第２画素電極ＰＥ１・ＰＥ２は、それぞれ第１および第２トランジスタを介して同一のデータ信号線に接続され、第１および第２のトランジスタは同一の走査信号線に接続され、第１および第２の画素電極ＰＥ１・ＰＥ２は、それぞれ異なる保持容量配線と保持容量を形成している。また、列方向に隣り合う２つの画素（２つの画素列）に対応して１本の保持容量配線が設けられ、該２つの画素の一方に設けられた第１あるいは第２の画素電極と上記２つの画素領域の他方に設けられた第１あるいは第２の画素電極とが、この保持容量配線と保持容量を形成している。なお、各画素（これに含まれる第１および第２画素電極ＰＥ１・ＰＥ２、並びに第１および第２トランジスタ）とデータ信号線および走査信号線との接続関係は、図１３（ａ）の表示部１０ｅと同様である。【００８２】
例えば、画素Ｐ（１，１）を横切るように走査信号線Ｇ１が設けられ、走査信号線（Ｇ１〜Ｇ６）と平行に複数の保持容量配線（Ｃｓ１〜Ｃｓ７）が設けられる。画素Ｐ（１，１）、Ｐ（２，１）、Ｐ（１，２）、およびＰ（２，２）の接続関係は図５（ａ）の表示部１０ｃと同一である。また、画素Ｐ（３，１）の第１画素電極ＰＥ１は第１トランジスタを介して第２データ信号線Ｓ１ｙに接続されるとともに第２画素電極ＰＥ２は第２トランジスタを介して第２データ信号線Ｓ１ｙに接続され、該第１および第２トランジスタは走査信号線Ｇ３に接続され、画素Ｐ（３，１）の第１画素電極ＰＥ１は保持容量配線Ｃｓ３と保持容量を形成するとともに、第２画素電極ＰＥ２は保持容量配線Ｃｓ４と保持容量を形成している。また、画素Ｐ（４，１）の第１画素電極ＰＥ１は第１トランジスタを介して第１データ信号線Ｓ１ｘに接続されるとともに第２画素電極ＰＥ２は第２トランジスタを介して第１データ信号線Ｓ１ｘに接続され、該第１および第２トランジスタは走査信号線Ｇ４に接続され、画素Ｐ（４，１）の第１画素電極ＰＥ１は保持容量配線Ｃｓ４と保持容量を形成するとともに、第２画素電極ＰＥ２は保持容量配線Ｃｓ５と保持容量を形成している。また、画素Ｐ（３，２）の第１画素電極ＰＥ１は第１トランジスタを介して第１データ信号線Ｓ２ｘに接続されるとともに第２画素電極ＰＥ２は第２トランジスタを介して第１データ信号線Ｓ２ｘに接続され、該第１および第２トランジスタは走査信号線Ｇ３に接続され、画素Ｐ（３，２）の第１画素電極ＰＥ１は保持容量配線Ｃｓ４と保持容量を形成するとともに、第２画素電極ＰＥ２は保持容量配線Ｃｓ３と保持容量を形成している。また、画素Ｐ（４，２）の第１画素電極ＰＥ１は第１トランジスタを介して第２データ信号線Ｓ２ｙに接続されるとともに第２画素電極ＰＥ２は第２トランジスタを介して第２データ信号線Ｓ２ｙに接続され、該第１および第２トランジスタは走査信号線Ｇ４に接続され、画素Ｐ（４，２）の第１画素電極ＰＥ１は保持容量配線Ｃｓ５と保持容量を形成するとともに、第２画素電極ＰＥ２は保持容量配線Ｃｓ４と保持容量を形成している。【００８３】
図１８は表示部１０ｇの各データ信号線および各走査信号線、並びに各保持容量配線の駆動方法を示すタイミングチャートである。図１８に示すように、各データ信号線および各走査信号線の駆動方法は図１４と同様であり、１つの画素に接続する走査信号線をＯＦＦするのに同期して、あるいはＯＦＦした後に、該画素の第１および第２の画素電極ＰＥ１・ＰＥ２と保持容量を形成する２本の保持容量配線の電位を、互いに逆方向（突き上げ・突き下げ方向）にレベルシフトさせる。例えば、走査信号線Ｇ１・Ｇ２がＯＦＦするのに同期して、保持容量配線Ｃｓ１の電位を突き上げる方向にレベルシフトさせるとともに保持容量配線Ｃｓ２の電位を突き下げる方向にレベルシフトさせ、走査信号線Ｇ３・Ｇ４がＯＦＦするのに同期して、保持容量配線Ｃｓ３の電位を突き上げる方向にレベルシフトさせるとともに保持容量配線Ｃｓ４の電位を突き下げる方向にレベルシフトさせる。【００８４】
表示部１０ｇでは、図１７（ｂ）に示す最初の水平走査期間の動作は図５（ｂ）と同じとなり、次の水平走査期間については図１７（ｃ）のようになる。すなわち、走査信号線Ｇ３・Ｇ４が同時にＯＮ（選択）され、第２データ信号線Ｓ１ｙから画素Ｐ（３，１）の第１および第２画素電極ＰＥ１・ＰＥ２にプラス極性の同一電位が書き込まれるのに同期して、第１データ信号線Ｓ１ｘから画素Ｐ（４，１）の第１および第２画素電極ＰＥ１・ＰＥ２にマイナス極性の同一電位が書き込まれるとともに、第１データ信号線Ｓ２ｘから画素Ｐ（３，２）の第１および第２画素電極ＰＥ１・ＰＥ２にマイナス極性の同一電位が書き込まれるのに同期して、第２データ信号線Ｓ２ｙから画素Ｐ（４，２）の第１および第２画素電極ＰＥ１・ＰＥ２へプラス極性の同一電位が書き込まれる。【００８５】
そして、走査信号線Ｇ３・Ｇ４が同時にＯＦＦされるのに同期して、保持容量配線Ｃｓ３が突き上げるとともに保持容量配線Ｃｓ４が突き下げる。これにより、画素列ＰＳ１では、画素Ｐ（２，１）の第２画素電極ＰＥ２を含む部分は暗副画素、画素Ｐ（３，１）の第１画素電極ＰＥ１を含む部分は明副画素、画素Ｐ（３，１）の第２画素電極ＰＥ２を含む部分は暗副画素、画素Ｐ（４，１）の第１画素電極ＰＥ１を含む部分は明副画素となり、画素列ＰＳ２では、画素Ｐ（２，２）の第１画素電極ＰＥ１を含む部分は明副画素、画素Ｐ（３，２）の第２画素電極ＰＥ２を含む部分は暗副画素、画素Ｐ（３，２）の第１画素電極ＰＥ１を含む部分は明副画素、画素Ｐ（４，２）の第２画素電極ＰＥ２を含む部分は暗副画素となる。次の水平走査期間については図１７（ｄ）のとおりである。これにより、画素列ＰＳ１では、副画素が、明、暗、明、暗、明・・・の順に並ぶ一方、画素列ＰＳ２では、副画素が、暗、明、暗、明、暗・・・の順に並び、明副画素と暗副画素とが市松状に配置される。【００８６】
このように、表示部１０ｇによれば、フリッカを抑制しつつ画素充電時間を増やすとともに、一水平走査期間前に供給された電位レベルの相異によって現水平走査期間での到達電位（充電率）がばらつくという問題を概ね解消し、かつ視野角特性も高めることが可能となる。また、画素列を挟むことなく隣接する（近接する）２本のデータ信号線（例えば、Ｓ１ｙおよびＳ２ｙ）に供給される信号電位が常に同極性となるため、この２本のデータ信号線間の寄生容量に起因する電力消費を抑制でき、ソースドライバの負荷を小さくすることができる。また、明副画素と暗副画素とを市松状に配置し、明副画素同士あるいは暗副画素同士が隣り合わないようにすることができる。これにより、ざらつき感（ジャギー）を抑制しながら視野角特性を高めることが可能となる。【００８７】
なお、本構成でも、一水平走査期間を走査信号線が１本ずつ選択される場合と同じにすれば２倍の本数の走査信号線を走査することができ、走査信号線の本数を上記場合と同じにすれば一水平走査期間を２倍にすることができる。したがって、本液晶表示装置は、倍速駆動を行う液晶表示装置やデジタルシネマ規格あるいはスーパーハイビジョン規格の液晶表示装置に好適である。【００８８】
なお、本液晶表示装置の表示部を図１９（ａ）のように構成することもできる。図１９（ａ）の表示部１０ｈが図１７（ａ）の表示部１０ｇと異なる点は、隣接する２つの画素列の一方に対応する第２データ信号線と該２つの画素列の他方に対応する第１データ信号線とが画素列を挟むことなく隣接するか、あるいは該２つの画素列の一方に対応する第１データ信号線と該２つの画素列の他方に対応する第２データ信号線とが画素列を挟むことなく隣接している点である。【００８９】
例えば、画素列ＰＳ１の両側に第１および第２データ信号線Ｓ１ｘ・Ｓ１ｙが配され、画素列ＰＳ２の両側に第１および第２データ信号線Ｓ２ｘ・Ｓ２ｙが配され、画素列ＰＳ１に対応する第２データ信号線Ｓ１ｙと、画素列ＰＳ２に対応する第１データ信号線Ｓ２ｘとが隣接している。表示部１０ｈの駆動方法を図２０に示し、各画素への書き込み状態を図１９（ｂ）〜（ｄ）に示す。これらの図に示されるように、表示部１０ｈによっても、フリッカを抑制しつつ画素充電時間を増やすとともに、一水平走査期間前に供給された電位レベルの相異によって現水平走査期間での到達電位（充電率）がばらつくという問題を概ね解消し、かつ視野角特性も高めることが可能となる。また、明副画素と暗副画素とを市松状に配置し、明副画素同士あるいは暗副画素同士が隣り合わないようにすることができる。これにより、ざらつき感（ジャギー）を抑制しながら視野角特性を高めることが可能となる。【００９０】
図１３（ａ）の表示部１０ｅを、図２１に示すように駆動することも可能である。すなわち、各水平走査期間の冒頭にリフレッシュ期間Ｒを設け、このリフレッシュ期間Ｒには、各データ信号線にリフレッシュ電位（例えば、Ｖｃｏｍ）を供給する。なお、リフレッシュ期間Ｒは、例えば、ラッチストローブ信号ＬＳが「Ｈｉｇｈ」になっている期間に同期させる（後述）。こうすれば、大型化、高精細化あるいは高速駆動化等によって必然的に画素充電時間が小さくなる液晶表示装置において、一水平走査期間前に同一データ信号線に供給された電位レベルの相異に起因する現水平走査期間の到達電位（充電率）のばらつきを抑制することができる。すなわち、倍速駆動時において、データ信号線に供給される信号電位の極性が１フレーム中プラス極性であって現水平走査期間の階調が中間調の場合には、上記のとおり一水平走査期間前に供給された電位レベルの相異によって到達電位がばらつくが（図４１参照）、図２１のように各データ信号線に供給される信号電位の極性を１Ｈごとに反転させるとともに各水平走査期間冒頭のリフレッシュ期間Ｒにリフレッシュ電位（Ｖｃｏｍ）を供給して倍速駆動を行うことで、図４３に示すように、一水平走査期間前に供給された電位レベルが白階調（階調電位Ｖ２５５＝−７．５Ｖ（コモン電位を電位０としたときの電位））に対応する場合の画素電位の波形と、該電位レベルが黒階調（階調電位Ｖ０＝０Ｖ（コモン電位を電位０としたときの電位））に対応する場合の画素電位の波形と、上記電位レベルが中間調に対応する場合の画素電位の波形とを近づけることができ、到達電位のばらつきを抑制することができる。なお、図４３は上記のとおり倍速駆動時のものであり、１Ｈ（一水平走査期間）が１４．８２〔μｓ〕、リフレッシュ期間が１．５〔μｓ〕となっている。また、図２１についても、倍速駆動時には、１Ｈおよびリフレッシュ期間Ｒの具体的時間は上記のようになる。【００９１】
ここで、図１４・１６に示す駆動（信号極性が１Ｈごとに反転する駆動）と図２１に示す駆動（信号極性が１Ｈごとに反転するとともに１Ｈの冒頭にリフレッシュ電位が供給される駆動）とを比較すると、図２１に示す駆動ではリフレッシュ期間の分だけ充電時間が短くなって到達電位（充電率）のばらつきが大きくなるが（図４３・４４参照）、リフレッシュ電位の供給によってデータ信号線の駆動回路（ソースドライバ）の負荷が低減される。すなわち、図２１に示す駆動は、図１６に示す駆動よりも消費電力の抑制やソースドライバ自体の発熱を抑える点で有利といえる。【００９２】
なお、画素分割方式である図１７（ａ）の表示部１０ｇを図２２のように駆動することでも、一水平走査期間前に同一データ信号線に供給された電位レベルの相異に起因する現水平走査期間の到達電位（充電率）のばらつきを大幅に抑制することができる。なお、図２２に示す駆動は、図１８・２０に示す駆動よりも消費電力の抑制やソースドライバ自体の発熱を抑える点で有利といえる。【００９３】
また、図１３（ａ）の表示部１０ｅを、図２３に示すように駆動することも可能である。すなわち、各水平走査期間の冒頭にリフレッシュ期間Ｒを設けて該リフレッシュ期間Ｒに各データ信号線へリフレッシュ電位（例えば、Ｖｃｏｍ）を供給するとともに、各走査信号線を、前回の走査から２／３フレーム期間程度経過したタイミングで、リフレッシュ期間Ｒと同期するように複数回（例えば、３回）選択し、この中途選択期間において各走査信号線に接続する画素に上記リフレッシュ電位（例えば、Ｖｃｏｍ）を書き込む。中途選択期間は一水平走査期間よりも短期間であるが、中途選択期間を一水平走査期間の間隔をおいて複数回設けてインパルス駆動を行うことで、各画素に黒を書き込む（黒挿入する）ことができる。こうすれば、各画素は、１フレーム期間のうち２／３フレーム期間は入力映像データを表示する一方、残りの１／３フレーム期間は黒表示を行うことになるため、動画表示時の尾引き等が低減され、動画表示品位を向上させることができる。【００９４】
なお、画素分割方式である図１７（ａ）の表示部１０ｇを、図２４のように駆動することでも、動画表示時の尾引き等が低減され、動画表示品位を向上させることができる。【００９５】
〔実施の形態３〕
図２５（ａ）は、本液晶表示装置の表示部の一構成例を示す模式図であり、図２５（ｂ）〜（ｄ）は該表示部の駆動方法を示す模式図であり、図２６は、該駆動方法を示すタイミングチャートである。図２５（ａ）に示すように、表示部１０ｉには、１つの画素列（例えば、ＰＳ１）に対応して第１および第２データ信号線（例えば、Ｓ１ｘ・Ｓ１ｙ）が設けられ、該画素列に含まれる１つの画素（例えば、Ｐ（１，１））は１本の走査信号線（例えば、Ｇ１）に接続されるとともに第１および第２のデータ信号線（例えば、Ｓ１ｘ・Ｓ１ｙ）のいずれかに接続される。具体的には、各画素列の１行目の画素から、列方向に隣り合う２つの画素を順に対とするとともに、隣り合う２個の対を順に１グループとしていき、その順に順序を付して考えた場合に、同一のグループでは、各対の２つの画素が異なるデータ信号線に接続されるとともに、奇数番目の各画素が同一のデータ信号線に接続されており、上記順序が連続する２つのグループ間では、一方のグループに含まれる奇数番目の画素が接続するデータ信号線と、他方のグループに含まれる奇数番目の画素が接続するデータ信号線とが異なっている。すなわち、１行目の画素を数え始めの１番目の画素とし、走査方向に数えて２×２×ｉ＋１番目（ｉは自然数）の画素以外は前段の画素と異なるデータ信号線に接続される一方、２×２×ｉ＋１番目の画素は前段の画素と同じデータ信号線に接続される。なお、各画素においては、画素電極ＰＥがトランジスタ（ＴＦＴ）を介して１本のデータ信号線に接続され、該トランジスタのゲート端子は１本の走査信号線に接続されている。【００９６】
また、第１および第２データ信号線には互いに逆極性の信号電位が供給され、各データ信号線に供給される信号電位の極性は２水平走査期間（２Ｈ）ごとに反転する。さらに、１つの画素行に含まれる各画素は同一の走査信号線に接続され、隣接する２つの画素列の一方に対応する第１データ信号線と、該２つの画素列の他方に対応する第１データ信号線とには同極性の信号電位が供給され、行方向に隣り合う画素間では、第１および第２のデータ信号線との接続関係が逆になっている。ここで、画素列の両側に、該画素列に対応する第１および第２データ信号線が配されており、隣接する２つの画素列の一方に対応する第１データ信号線と該２つの画素列の他方に対応する第１データ信号線とが、画素列を挟むことなく隣接するか、あるいは該２つの画素列の一方に対応する第２データ信号線と該２つの画素列の他方に対応する第２データ信号線とが、画素列を挟むことなく隣接している。【００９７】
そして、走査方向（上記順序）に従ってグループが選ばれ、選ばれたグループ内で、対をなす２つの画素それぞれに接続する走査信号線の同時選択が各対につき順次行われる。すなわち、各走査信号線は、１行目の画素に接続する走査信号線から順に、隣り合う２本ずつ同時選択されていく。【００９８】
なお、図２５（ａ）の第１および第２データ信号線Ｓ１ｘ・Ｓ１ｙについては、所定水平走査期間（図２５（ｂ）に示した状態）では第１データ信号線Ｓ１ｘにプラス極性の電位が供給される一方、第２データ信号線Ｓ１ｙにマイナス極性の電位が供給され、次の水平走査期間（図２５（ｃ）に示した状態）でも第１データ信号線Ｓ１ｘにプラス極性の電位が供給される一方、第２データ信号線Ｓ１ｙにマイナス極性の電位が供給され、次の水平走査期間（図２５（ｄ）に示した状態）では第１データ信号線Ｓ１ｘにマイナス極性の電位が供給される一方、第２データ信号線Ｓ１ｙにプラス極性の電位が供給される。また、図２５（ａ）の第１および第２データ信号線Ｓ２ｘ・Ｓ２ｙについては、所定水平走査期間（図２５（ｂ）に示した状態）では第１データ信号線Ｓ２ｘにプラス極性の電位が供給される一方、第２データ信号線Ｓ２ｙにマイナス極性の電位が供給され、次の水平走査期間（図２５（ｃ）に示した状態）でも第１データ信号線Ｓ２ｘにプラス極性の電位が供給される一方、第２データ信号線Ｓ２ｙにマイナス極性の電位が供給され、次の水平走査期間（図２５（ｄ）に示した状態）では第１データ信号線Ｓ２ｘにマイナス極性の電位が供給される一方、第２データ信号線Ｓ２ｙにプラス極性の電位が供給される。なお、隣り合う画素列ＰＳ１・ＰＳ２において、画素列ＰＳ１に対応する第２データ信号線Ｓ１ｙと画素列ＰＳ２に対応する第２データ信号線Ｓ２ｙとが、画素列を挟むことなく隣接している。【００９９】
そして、図２５（ｂ）〜（ｄ）および図２６に示すように、画素Ｐ（１，１）・Ｐ（１，２）に接続する走査信号線Ｇ１と画素Ｐ（２，１）・Ｐ（２，２）に接続する走査信号線Ｇ２とがまず同時選択され、次いで、画素Ｐ（３，１）・Ｐ（３，２）に接続する走査信号線Ｇ３と画素Ｐ（４，１）・Ｐ（４，２）に接続する走査信号線Ｇ４とが同時選択され、次いで、画素Ｐ（５，１）・Ｐ（５，２）に接続する走査信号線Ｇ５と画素Ｐ（６，１）・Ｐ（６，２）に接続する走査信号線Ｇ６とが同時選択される。【０１００】
これにより、表示部１０ｉでは、最初の水平走査期間に、第１データ信号線Ｓ１ｘから画素Ｐ（１，１）の画素電極にプラス極性の電位が書き込まれるのに同期して、第２データ信号線Ｓ１ｙから画素Ｐ（２，１）の画素電極にマイナス極性の電位が書き込まれるとともに、第２データ信号線Ｓ２ｙから画素Ｐ（１，２）の画素電極にマイナス極性の電位が書き込まれるのに同期して、第１データ信号線Ｓ２ｘから画素Ｐ（２，２）の画素電極にプラス極性の電位が書き込まれる（図２５（ｂ）参照）。また、次の水平走査期間には、第１データ信号線Ｓ１ｘから画素Ｐ（３，１）の画素電極にプラス極性の電位が書き込まれるのに同期して、第２データ信号線Ｓ１ｙから画素Ｐ（４，１）の画素電極にマイナス極性の電位が書き込まれるとともに、第２データ信号線Ｓ２ｙから画素Ｐ（３，２）の画素電極にマイナス極性の電位が書き込まれるのに同期して、第１データ信号線Ｓ２ｘから画素Ｐ（４，２）の画素電極にプラス極性の電位が書き込まれる（図２５（ｃ）参照）。さらに次の水平走査期間には、第２データ信号線Ｓ１ｙから画素Ｐ（５，１）の画素電極にプラス極性の電位が書き込まれるのに同期して、第１データ信号線Ｓ１ｘから画素Ｐ（６，１）の画素電極にマイナス極性の電位が書き込まれるとともに、第１データ信号線Ｓ２ｘから画素Ｐ（５，２）の画素電極にマイナス極性の電位が書き込まれるのに同期して、第２データ信号線Ｓ２ｙから画素Ｐ（６，２）の画素電極にプラス極性の電位が書き込まれる（図２５（ｄ）参照）。【０１０１】
このように、表示部１０ｉによれば、２本の走査信号線を同時選択することで一水平走査期間を延ばしつつ、各画素をドット反転させることができる。すなわち、フリッカを抑制しつつ画素充電時間を増やすことが可能となる。また、画素列を挟むことなく隣接する（近接する）２本のデータ信号線（例えば、Ｓ１ｙおよびＳ２ｙ）に供給される信号電位が常に同極性となるため、この２本のデータ信号線間の寄生容量に起因する電力消費を抑制でき、ソースドライバの負荷を小さくすることができる。【０１０２】
なお、本構成でも、一水平走査期間を走査信号線が１本ずつ選択される場合と同じにすれば２倍の本数の走査信号線を走査することができ、走査信号線の本数を上記場合と同じにすれば一水平走査期間を２倍にすることができる。したがって、本液晶表示装置は、倍速駆動を行う液晶表示装置やデジタルシネマ規格あるいはスーパーハイビジョン規格の液晶表示装置に好適である。【０１０３】
また、データ信号線に供給される信号電位の極性を２水平走査期間ごとに反転させることで、上記信号電位の極性を１水平走査期間ごとに反転させる場合よりもソースドライバの消費電力を低減することができる。【０１０４】
図２５（ａ）の表示部１０ｉを、例えば図２７（ａ）に示すような画素分割方式（マルチ画素構造）とすることもできる。図２７（ａ）に示す表示部１０ｊでは、１つの画素を横切るように該画素に対応する１本の走査信号線が設けられ、走査信号線と平行に複数の保持容量配線が設けられる。各画素には、走査信号線の一方側に第１トランジスタおよび第１画素電極ＰＥ１が設けられるとともに該走査信号線の他方側に第２トランジスタおよび第２画素電極ＰＥ２が設けられており、第１および第２画素電極ＰＥ１・ＰＥ２は、それぞれ第１および第２トランジスタを介して同一のデータ信号線に接続され、第１および第２のトランジスタは同一の走査信号線に接続され、第１および第２の画素電極ＰＥ１・ＰＥ２は、それぞれ異なる保持容量配線と保持容量を形成している。また、列方向に隣り合う２つの画素（２つの画素列）に対応して１本の保持容量配線が設けられ、該２つの画素の一方に設けられた第１あるいは第２の画素電極と上記２つの画素領域の他方に設けられた第１あるいは第２の画素電極とが、この保持容量配線と保持容量を形成している。なお、各画素（これに含まれる第１および第２画素電極ＰＥ１・ＰＥ２、並びに第１および第２トランジスタ）とデータ信号線および走査信号線との接続関係は、図２５（ａ）の表示部１０ｉと同様である。【０１０５】
図２８は表示部１０ｊの各データ信号線および各走査信号線、並びに各保持容量配線の駆動方法を示すタイミングチャートである。図２８に示すように、各データ信号線および各走査信号線の駆動方法は図２６と同様であり、１つの画素に接続する走査信号線をＯＦＦするのに同期して、あるいはＯＦＦした後に、該画素の第１および第２の画素電極ＰＥ１・ＰＥ２と保持容量を形成する２本の保持容量配線の電位を、互いに逆方向（突き上げ・突き下げ方向）にレベルシフトさせる。例えば、走査信号線Ｇ１・Ｇ２がＯＦＦするのに同期して、保持容量配線Ｃｓ１の電位を突き上げる方向にレベルシフトさせるとともに保持容量配線Ｃｓ２の電位を突き下げる方向にレベルシフトさせ、走査信号線Ｇ３・Ｇ４がＯＦＦするのに同期して、保持容量配線Ｃｓ３の電位を突き上げる方向にレベルシフトさせるとともに保持容量配線Ｃｓ４の電位を突き下げる方向にレベルシフトさせる。【０１０６】
表示部１０ｊでは、図２７（ｂ）に示す最初の水平走査期間の動作は図５（ｂ）と同じとなり、次の水平走査期間については図２７（ｃ）のとおりであり、その次の水平走査期間については図２７（ｄ）のとおりである。これにより、画素列ＰＳ１では、副画素が、明、暗、明、暗、明・・・の順に並び、画素列ＰＳ２では、副画素が、暗、明、暗、明、暗・・・の順に並ぶことになる。【０１０７】
このように、表示部１０ｊによれば、フリッカを抑制しつつ画素充電時間を増やし、かつ視野角特性も高めることが可能となる。また、画素列を挟むことなく隣接する（近接する）２本のデータ信号線（例えば、Ｓ１ｙおよびＳ２ｙ）に供給される信号電位が常に同極性となるため、この２本のデータ信号線間の寄生容量に起因する電力消費を抑制でき、ソースドライバの負荷を小さくすることができる。また、明副画素と暗副画素とを市松状に配置し、明副画素同士あるいは暗副画素同士が隣り合わないようにすることができる。これにより、ざらつき感（ジャギー）を抑制しながら視野角特性を高めることが可能となる。【０１０８】
なお、本構成でも、一水平走査期間を走査信号線が１本ずつ選択される場合と同じにすれば２倍の本数の走査信号線を走査することができ、走査信号線の本数を上記場合と同じにすれば一水平走査期間を２倍にすることができる。したがって、本液晶表示装置は、倍速駆動を行う液晶表示装置やデジタルシネマ規格あるいはスーパーハイビジョン規格の液晶表示装置に好適である。【０１０９】
図２５（ａ）の表示部１０ｉを、図２９に示すように駆動することも可能である。すなわち、各水平走査期間の冒頭にリフレッシュ期間Ｒを設け、このリフレッシュ期間Ｒには、各データ信号線にリフレッシュ電位（例えば、Ｖｃｏｍ）を供給する。なお、リフレッシュ期間Ｒは、例えば、ラッチストローブ信号ＬＳが「Ｈｉｇｈ」になっている期間に同期させる（後述）。こうすれば、大型化、高精細化あるいは高速駆動化等によって必然的に画素充電時間が小さくなる液晶表示装置において、一水平走査期間前に同一データ信号線に供給された電位レベルの相異に起因する現水平走査期間の到達電位（充電率）のばらつきを抑制することができる。すなわち、倍速駆動時において、データ信号線に供給される信号電位の極性が１フレーム中プラス極性であって現水平走査期間の階調が中間調の場合には、上記のとおり一水平走査期間前に供給された電位レベルの相異によって到達電位がばらつくが（図４１参照）、図２９のように、各データ信号線に供給される信号電位の極性を２Ｈごとに反転させるとともに各水平走査期間冒頭のリフレッシュ期間Ｒにリフレッシュ電位（Ｖｃｏｍ）を供給して倍速駆動を行うことで、到達電位のばらつきを抑制することができる。【０１１０】
なお、画素分割方式である図２７（ａ）の表示部１０ｊを図３０のように駆動することでも、一水平走査期間前に同一データ信号線に供給された電位レベルの相異に起因する現水平走査期間の到達電位（充電率）のばらつきを抑制することができる。【０１１１】
また、図２５（ａ）の表示部１０ｉを、図３１に示すように駆動することも可能である。すなわち、各水平走査期間の冒頭にリフレッシュ期間Ｒを設けて該リフレッシュ期間Ｒに各データ信号線へリフレッシュ電位（例えば、Ｖｃｏｍ）を供給するとともに、各走査信号線を、前回の走査から２／３フレーム期間程度経過したタイミングで、リフレッシュ期間Ｒと同期するように複数回（例えば、３回）選択し、この中途選択期間において各走査信号線に接続する画素に上記リフレッシュ電位（例えば、Ｖｃｏｍ）を書き込む。中途選択期間は一水平走査期間よりも短期間であるが、中途選択期間を一水平走査期間の間隔をおいて複数回設けてインパルス駆動を行うことで、各画素に黒を書き込む（黒挿入する）ことができる。こうすれば、各画素は、１フレーム期間のうち２／３フレーム期間は入力映像データを表示する一方、残りの１／３フレーム期間は黒表示を行うことになるため、動画表示時の尾引き等が低減され、動画表示品位を向上させることができる。【０１１２】
なお、画素分割方式である図２７（ａ）の表示部１０ｊを、図３２のように駆動することでも、動画表示時の尾引き等が低減され、動画表示品位を向上させることができる。【０１１３】
〔実施の形態４〕
図３３（ａ）は、本液晶表示装置の表示部の一構成例を示す模式図であり、図３３（ｂ）〜（ｅ）は該表示部の駆動方法を示す模式図であり、図３４は、該駆動方法を示すタイミングチャートである。図３３（ａ）に示すように、表示部１０ｋでは、１つの画素列（例えば、ＰＳ１）に対応して、その（例えば、ＰＳ１の）両側に第１および第２データ信号線（例えば、Ｓ１ａ・Ｓ１ｂ）が設けられ、該画素列に含まれる１つの画素（例えば、Ｐ（１，１））は１本の走査信号線（例えば、Ｇ１）に接続されるとともに第１および第２のデータ信号線（例えば、Ｓ１ａ・Ｓ１ｂ）のいずれかに接続される。具体的には、各画素列の１行目の画素を数え始めの１番目の画素とし、走査方向に数えて連続する奇数番目にあたる２画素を順に対としていくとともに連続する偶数番目にあたる２画素を対としていき、奇数番目にあたる２つの画素からなる対と、偶数番目にあたる２つの画素からなる対とを交互に順序付けて考えた場合に、各対の２つの画素が異なるデータ信号線に接続される。なお、各画素においては、画素電極ＰＥがトランジスタ（ＴＦＴ）を介して１本のデータ信号線に接続され、該トランジスタのゲート端子は１本の走査信号線に接続されている。【０１１４】
また、第１および第２データ信号線（例えば、Ｓ１ａ・Ｓ１ｂ）には互いに同極性の信号電位が供給され、各データ信号線に供給される信号電位の極性は１水平走査期間（１Ｈ）ごとに反転する。さらに、１つの画素行に含まれる各画素は同一の走査信号線に接続され、隣接する２つの画素列の一方（例えば、ＰＳ１）に対応する第１および第２データ信号線と、該２つの画素列の他方（例えば、ＰＳ２）に対応する第１および第２データ信号線とには逆極性の信号電位が供給される。【０１１５】
そして、対をなす２つの画素それぞれに接続する走査信号線の同時選択が上記順序に従って行われる（該同時選択が、奇数番目にあたる２画素からなる対と、偶数番目にあたる２画素からなる対とにつき、走査方向に従って交互に行われる）。すなわち、各走査信号線は、１行目の画素に接続する走査信号線を１番目の走査信号線として、これから順に、連続する奇数番目にあたる２本の走査信号線と、連続する偶数番目にあたる２本の走査信号線とが、交互に同時選択されていく。【０１１６】
例えば画素列ＰＳ１についていえば、画素列ＰＳ１の両側に第１および第２データ信号線Ｓ１ｘ・Ｓ１ｙが配されており、１番目の画素Ｐ（１，１）と３番目の画素Ｐ（３，１）とが対とされ、画素Ｐ（１，１）が走査信号線Ｇ１に接続されるとともに第１データ信号線Ｓ１ａに接続され、画素Ｐ（３，１）が走査信号線Ｇ３に接続されるとともに第２データ信号線Ｓ１ｂに接続され、同様に、２番目の画素Ｐ（２，１）と４番目の画素Ｐ（４，１）とが対とされ、画素Ｐ（２，１）が走査信号線Ｇ２に接続されるとともに第１データ信号線Ｓ１ａに接続され、画素Ｐ（４，１）が走査信号線Ｇ４に接続されるとともに第２データ信号線Ｓ１ｂに接続され、同様に、５番目の画素Ｐ（５，１）と７行目の画素Ｐ（７，１）とが対とされ、画素Ｐ（５，１）が走査信号線Ｇ５に接続されるとともに第１データ信号線Ｓ１ａに接続され、画素Ｐ（７，１）が走査信号線Ｇ７に接続されるとともに第２データ信号線Ｓ１ｂに接続されている。【０１１７】
また、画素列ＰＳ２についていえば、画素列ＰＳ２の両側に第１および第２データ信号線Ｓ２ａ・Ｓ２ｂが配されており、１番目の画素Ｐ（１，２）と３番目の画素Ｐ（３，２）とが対とされ、画素Ｐ（１，２）が走査信号線Ｇ１に接続されるとともに第１データ信号線Ｓ２ａに接続され、画素Ｐ（３，２）が走査信号線Ｇ３に接続されるとともに第２データ信号線Ｓ２ｂに接続され、同様に、２番目の画素Ｐ（２，２）と４番目の画素Ｐ（４，２）とが対とされ、画素Ｐ（２，２）が走査信号線Ｇ２に接続されるとともに第１データ信号線Ｓ２ａに接続され、画素Ｐ（４，２）が走査信号線Ｇ４に接続されるとともに第２データ信号線Ｓ２ｂに接続され、同様に、５番目の画素Ｐ（５，２）と７行目の画素Ｐ（７，２）とが対とされ、画素Ｐ（５，２）が走査信号線Ｇ５に接続されるとともに第１データ信号線Ｓ２ａに接続され、画素Ｐ（７，２）が走査信号線Ｇ７に接続されるとともに第２データ信号線Ｓ２ｂに接続されている。【０１１８】
上記第１および第２データ信号線Ｓ１ａ・Ｓ１ｂについては、所定水平走査期間（図３３（ｂ）に示した状態）では第１データ信号線Ｓ１ａにプラス極性の電位が供給されるとともに、第２データ信号線Ｓ１ｂにもプラス極性の電位が供給され、次の水平走査期間（図３３（ｃ）に示した状態）では第１データ信号線Ｓ１ａにマイナス極性の電位が供給されるとともに、第２データ信号線Ｓ１ｂにもマイナス極性の電位が供給され、次の水平走査期間（図３３（ｄ）に示した状態）では第１データ信号線Ｓ１ａにプラス極性の電位が供給されるとともに、第２データ信号線Ｓ１ｂにもプラス極性の電位が供給される。【０１１９】
そして、図３３（ｂ）〜（ｄ）および図３４に示すように、画素Ｐ（１，１）・Ｐ（１，２）に接続する走査信号線Ｇ１と画素Ｐ（３，１）・Ｐ（３，２）に接続する走査信号線Ｇ３とがまず同時選択され、次いで、画素Ｐ（２，１）・Ｐ（２，２）に接続する走査信号線Ｇ２と画素Ｐ（４，１）・Ｐ（４，２）に接続する走査信号線Ｇ４とが同時選択され、次いで、画素Ｐ（５，１）・Ｐ（５，２）に接続する走査信号線Ｇ５と画素Ｐ（７，１）・Ｐ（７，２）に接続する走査信号線Ｇ７とが同時選択される。【０１２０】
これにより、表示部１０ｋでは、最初の水平走査期間に、第１データ信号線Ｓ１ａから画素Ｐ（１，１）の画素電極にプラス極性の電位が書き込まれるのに同期して、第２データ信号線Ｓ１ｙから画素Ｐ（３，１）の画素電極にプラス極性の電位が書き込まれるとともに、第１データ信号線Ｓ２ａから画素Ｐ（１，２）の画素電極にマイナス極性の電位が書き込まれるのに同期して、第２データ信号線Ｓ２ｂから画素Ｐ（３，２）の画素電極にマイナス極性の電位が書き込まれる（図３３（ｂ）参照）。また、次の水平走査期間には、第１データ信号線Ｓ１ａから画素Ｐ（２，１）の画素電極にマイナス極性の電位が書き込まれるのに同期して、第２データ信号線Ｓ１ｂから画素Ｐ（４，１）の画素電極にマイナス極性の電位が書き込まれるとともに、第１データ信号線Ｓ２ａから画素Ｐ（２，２）の画素電極にプラス極性の電位が書き込まれるのに同期して、第２データ信号線Ｓ２ｂから画素Ｐ（４，２）の画素電極にプラス極性の電位が書き込まれる（図３３（ｃ）参照）。さらに次の水平走査期間には、第１データ信号線Ｓ１ａから画素Ｐ（５，１）の画素電極にプラス極性の電位が書き込まれるのに同期して、第２データ信号線Ｓ１ｂから画素Ｐ（７，１）の画素電極にプラス極性の電位が書き込まれるとともに、第１データ信号線Ｓ２ａから画素Ｐ（５，２）の画素電極にマイナス極性の電位が書き込まれるのに同期して、第２データ信号線Ｓ２ｂから画素Ｐ（７，２）の画素電極にマイナス極性の電位が書き込まれる（図３３（ｄ）参照）。【０１２１】
このように、表示部１０ｋによれば、２本の走査信号線を同時選択することで一水平走査期間を延ばしつつ、各画素をドット反転させることができる。すなわち、フリッカを抑制しつつ画素充電時間を増やすことが可能となる。【０１２２】
なお、本構成でも、一水平走査期間を走査信号線が１本ずつ選択される場合と同じにすれば２倍の本数の走査信号線を走査することができ、走査信号線の本数を上記場合と同じにすれば一水平走査期間を２倍にすることができる。したがって、本液晶表示装置は、倍速駆動を行う液晶表示装置やデジタルシネマ規格あるいはスーパーハイビジョン規格の液晶表示装置に好適である。【０１２３】
さらに、本構成ではデータ信号線に供給される信号電位の極性を１水平走査期間単位で反転させるため、大型、高精細あるいは高速駆動等によって必然的に画素充電時間が小さくなる液晶表示装置において、一水平走査期間前に同一データ信号線に供給された電位レベルの相異に起因する現水平走査期間の到達電位（充電率）のばらつきを概ね解消することができる。すなわち、倍速駆動時において、データ信号線に供給される信号電位の極性が１フレーム中プラス極性であって現水平走査期間の階調が中間調の場合には、上記のとおり一水平走査期間前に供給された電位レベルの相異によって到達電位がばらつくが（図４１参照）、図３４のようにデータ信号線に供給される信号電位の極性を１水平走査期間ごとに反転させて倍速駆動を行うことで、図４４に示すように、一水平走査期間前に供給された電位レベルが白階調に対応する値（階調電位Ｖ２５５＝−７．５Ｖ）である場合の画素電位の波形と、該電位レベルが黒階調（階調電位Ｖ０＝０Ｖ）に対応する場合の画素電位の波形と、上記電位レベルが中間調に対応する場合の画素電位の波形とを揃えることができ、各場合の到達電位をほぼ一致させることができる。【０１２４】
図３３（ａ）の表示部１０ｋを、例えば図３５（ａ）に示すような画素分割方式（マルチ画素構造）とすることもできる。図３５（ａ）に示す表示部１０ｐでは、１つの画素を横切るように該画素に対応する１本の走査信号線が設けられ、走査信号線と平行に複数の保持容量配線が設けられる。各画素には、走査信号線の一方側に第１トランジスタおよび第１画素電極ＰＥ１が設けられるとともに該走査信号線の他方側に第２トランジスタおよび第２画素電極ＰＥ２が設けられており、第１および第２画素電極ＰＥ１・ＰＥ２は、それぞれ第１および第２トランジスタを介して同一のデータ信号線に接続され、第１および第２のトランジスタは同一の走査信号線に接続され、第１および第２の画素電極ＰＥ１・ＰＥ２は、それぞれ異なる保持容量配線と保持容量を形成している。また、列方向に隣り合う２つの画素（２つの画素列）に対応して１本の保持容量配線が設けられ、該２つの画素の一方に設けられた第１あるいは第２の画素電極と上記２つの画素領域の他方に設けられた第１あるいは第２の画素電極とが、この保持容量配線と保持容量を形成している。なお、各画素（これに含まれる第１および第２画素電極ＰＥ１・ＰＥ２、並びに第１および第２トランジスタ）とデータ信号線および走査信号線との接続関係は、図３３（ａ）の表示部１０ｋと同様である。【０１２５】
図３６は表示部１０ｐの各データ信号線および各走査信号線、並びに各保持容量配線の駆動方法を示すタイミングチャートである。図３６に示すように、各データ信号線および各走査信号線の駆動方法は図３４と同様であり、１つの画素に接続する走査信号線をＯＦＦするのに同期して、あるいはＯＦＦした後に、該画素の第１および第２の画素電極ＰＥ１・ＰＥ２と保持容量を形成する２本の保持容量配線の電位を、互いに逆方向（突き上げ・突き下げ方向）にレベルシフトさせる。例えば走査信号線Ｇ１・Ｇ３がＯＦＦするときは保持容量配線Ｃｓ１およびＣｓ２の電位は変動（レベルシフト）させず、走査信号線Ｇ２・Ｇ４がＯＦＦするのに同期して、保持容量配線Ｃｓ１の電位を突き上げる方向にレベルシフトさせるとともに保持容量配線Ｃｓ２の電位を突き下げる方向にレベルシフトさせ、かつ保持容量配線Ｃｓ３の電位を突き上げる方向にレベルシフトさせるとともに保持容量配線Ｃｓ４の電位を突き下げる方向にレベルシフトさせる。【０１２６】
より具体的には、表示部１０ｐの各保持容量配線は以下のように形成され、そして電位制御される。すなわち、１行目の画素（例えば、Ｐ（１，１））の各画素電極ＰＥ１・ＰＥ２と保持容量を形成する保持容量配線が１番目および２番目の保持容量配線Ｃｓ１・Ｃｓ２であり、２番目の保持容量配線Ｃｓ２は２行目の画素（例えば、Ｐ（２，１））の画素電極ＰＥ２とも保持容量を形成しており、１行目および２行目の画素の同時書き込み終了時あるいはその後に、１番目および２番目の保持容量配線Ｃｓ１・Ｃｓ２の電位が同期して逆向きにレベルシフトし、１番目の保持容量配線Ｃｓ１を数え始めとして走査方向に数え、奇数番目の保持容量配線を２本ずつ束にして考えた場合に、各束（例えば、Ｃｓ１・Ｃｓ３の束）では、前番となる保持容量配線（例えば、Ｃｓ１）の電位のレベルシフトに同期して後番となる保持容量配線（例えば、Ｃｓ３）の電位がこれと同じ向きにレベルシフトし、隣り合う２つの束（例えば、Ｃｓ１およびＣｓ３の束とＣｓ５およびＣｓ７の束）間では、走査方向下流側に位置する束の各保持容量配線（Ｃｓ５・Ｃｓ７）の電位が、走査方向上流側に位置する束の各保持容量配線（Ｃｓ１・Ｃｓ３）の電位がレベルシフトした２水平走査期間（２Ｈ）後にレベルシフトし、偶数番目の保持容量配線を２本ずつ束にして考えた場合に、各束（例えば、Ｃｓ２・Ｃｓ４の束）では、前番となる保持容量配線（例えば、Ｃｓ２）の電位のレベルシフトに同期して後番となる保持容量配線（例えば、Ｃｓ４）の電位がこれと同じ向きにレベルシフトし、隣り合う２つの束（例えば、Ｃｓ２およびＣｓ４の束とＣｓ６およびＣｓ８の束）間では、走査方向下流側に位置する束の各保持容量配線（Ｃｓ６・Ｃｓ８）の電位が、走査方向上流側に位置する束の各保持容量配線（Ｃｓ２・Ｃｓ４）の電位がレベルシフトした２水平走査期間（２Ｈ）後にレベルシフトする。なお、各保持容量配線の電位レベルシフトの周期は、１垂直走査期間（１フレーム期間）である。【０１２７】
表示部１０ｐでは、図３５（ｂ）に示すように、最初の水平走査期間に走査信号線Ｇ１・Ｇ３が同時にＯＮ（選択）され、第１データ信号線Ｓ１ａから画素Ｐ（１，１）の第１および第２画素電極ＰＥ１・ＰＥ２にプラス極性の同一電位が書き込まれるのに同期して、第２データ信号線Ｓ１ｂから画素Ｐ（３，１）の第１および第２画素電極ＰＥ１・ＰＥ２にプラス極性の同一電位が書き込まれるとともに、第１データ信号線Ｓ２ａから画素Ｐ（１，２）の第１および第２画素電極ＰＥ１・ＰＥ２にマイナス極性の同一電位が書き込まれるのに同期して、第２データ信号線Ｓ２ｂから画素Ｐ（３，２）の第１および第２画素電極ＰＥ１・ＰＥ２へマイナス極性の同一電位が書き込まれる。【０１２８】
そして、図３５（ｃ）に示すように、次の水平走査期間に走査信号線Ｇ２・Ｇ４が同時にＯＮ（選択）され、第１データ信号線Ｓ１ａから画素Ｐ（２，１）の第１および第２画素電極ＰＥ１・ＰＥ２にマイナス極性の同一電位が書き込まれるのに同期して、第２データ信号線Ｓ１ｂから画素Ｐ（４，１）の第１および第２画素電極ＰＥ１・ＰＥ２にマイナス極性の同一電位が書き込まれるとともに、第１データ信号線Ｓ２ａから画素Ｐ（２，２）の第１および第２画素電極ＰＥ１・ＰＥ２にプラス極性の同一電位が書き込まれるのに同期して、第２データ信号線Ｓ２ｂから画素Ｐ（４，２）の第１および第２画素電極ＰＥ１・ＰＥ２へプラス極性の同一電位が書き込まれる。【０１２９】
ここで、走査信号線Ｇ２・Ｇ４が同時にＯＦＦされるのに同期して、保持容量配線Ｃｓ１が突き上げるとともに保持容量配線Ｃｓ２が突き下げ、かつ保持容量配線Ｃｓ３が突き上げるとともに保持容量配線Ｃｓ４が突き下げる。【０１３０】
これにより、画素列ＰＳ１では、画素Ｐ（１，１）の第１画素電極ＰＥ１を含む部分は明副画素、画素Ｐ（１，１）の第２画素電極ＰＥ２を含む部分は暗副画素、画素Ｐ（２，１）の第１画素電極ＰＥ１を含む部分は明副画素、画素Ｐ（２，１）の第２画素電極ＰＥ２を含む部分は暗副画素、画素Ｐ（３，１）の第１画素電極ＰＥ１を含む部分は明副画素、画素Ｐ（３，１）の第２画素電極ＰＥ２を含む部分は暗副画素…となり、画素列ＰＳ２では、画素Ｐ（１，２）の第２画素電極ＰＥ２を含む部分は暗副画素、画素Ｐ（１，２）の第１画素電極ＰＥ１を含む部分は明副画素、画素Ｐ（２，１）の第２画素電極ＰＥ２を含む部分は暗副画素、画素Ｐ（２，１）の第１画素電極ＰＥ１を含む部分は明副画素、画素Ｐ（３，１）の第２画素電極ＰＥ２を含む部分は暗副画素、画素Ｐ（３，１）の第１画素電極ＰＥ１を含む部分は明副画素…となる。これにより、画素列ＰＳ１では、副画素が、明、暗、明、暗、明・・・の順に並び、画素列ＰＳ２では、副画素が、暗、明、暗、明、暗・・・の順に並ぶことになる。【０１３１】
このように、表示部１０ｐによれば、フリッカを抑制しつつ画素の画素充電時間を増やすとともに、一水平走査期間前に供給された電位レベルの相異によって現水平走査期間での到達電位（充電率）がばらつくという問題を概ね解消し、かつ視野角特性も高めることが可能となる。また、明副画素と暗副画素とを市松状に配置し、明副画素同士あるいは暗副画素同士が隣り合わないようにすることができる。これにより、ざらつき感（ジャギー）を抑制しながら視野角特性を高めることが可能となる。【０１３２】
なお、本構成でも、一水平走査期間を走査信号線が１本ずつ選択される場合と同じにすれば２倍の本数の走査信号線を走査することができ、走査信号線の本数を上記場合と同じにすれば一水平走査期間を２倍にすることができる。したがって、本液晶表示装置は、倍速駆動を行う液晶表示装置やデジタルシネマ規格あるいはスーパーハイビジョン規格の液晶表示装置に好適である。【０１３３】
さらに、保持容量配線Ｃｓ１およびＣｓ３の電位のレベルシフトが同じ向きでかつ同期し、保持容量配線Ｃｓ２およびＣｓ４の電位のレベルシフトが同じ向きでかつ同期しているため、保持容量配線Ｃｓ１およびＣｓ３に与える信号（Ｃｓ信号）を共通化し、また、保持容量配線Ｃｓ２およびＣｓ４に与える信号（Ｃｓ信号）を共通化することができる。すなわち、上記のように、奇数番目の保持容量配線を１番目の保持容量配線から順に２本ずつ束にし、偶数番目の保持容量配線を２番目の保持容量配線から順に２本ずつ束にすれば、束とされる２本の保持容量配線に与えるＣｓ信号を共通化することができる。これにより、全保持容量配線に与えるＣｓ信号の数（種類）をほぼ半分に削減でき、Ｃｓ信号を生成するＣｓ制御回路（図４６参照）の回路規模を小さくすることができる。なお、束とされる２本の保持容量（例えば、Ｃｓ１とＣｓ３）は、パネル内で接続されて（例えば、同一のＣｓ幹配線に接続されて）いてもよいし、Ｃｓ制御回路内の同じ出力端子に接続されていてもよい。【０１３４】
図３３（ａ）の表示部１０ｋを、図３７に示すように駆動することも可能である。すなわち、各水平走査期間の冒頭にリフレッシュ期間Ｒを設け、このリフレッシュ期間Ｒには、各データ信号線にリフレッシュ電位（例えば、Ｖｃｏｍ）を供給する。なお、リフレッシュ期間Ｒは、例えば、ラッチストローブ信号ＬＳが「Ｈｉｇｈ」になっている期間に同期させる（後述）。こうすれば、大型化、高精細化あるいは高速駆動化等によって必然的に画素充電時間が小さくなる液晶表示装置において、一水平走査期間前に同一データ信号線に供給された電位レベルの相異に起因する現水平走査期間の到達電位（充電率）のばらつきを抑制することができる。すなわち、倍速駆動時において、データ信号線に供給される信号電位の極性が１フレーム中プラス極性であって現水平走査期間の階調が中間調の場合には、上記のとおり一水平走査期間前に供給された電位レベルの相異によって到達電位がばらつくが（図４１参照）、図３７のように、各データ信号線に供給される信号電位の極性を１Ｈごとに反転させるとともに各水平走査期間冒頭のリフレッシュ期間Ｒにリフレッシュ電位（Ｖｃｏｍ）を供給して倍速駆動を行うことで、図４３に示すように、一水平走査期間前に供給された電位レベルが白階調（階調電位Ｖ２５５＝−７．５Ｖ）に対応する場合の画素電位の波形と、該電位レベルが黒階調（階調電位Ｖ０＝０Ｖ）に対応する場合の画素電位の波形と、上記電位レベルが中間調に対応する場合の画素電位の波形とを近づけることができ、到達電位のばらつきを抑制することができる。【０１３５】
なお、画素分割方式である図３５（ａ）の表示部１０ｐを図３８のように駆動することでも、一水平走査期間前に同一データ信号線に供給された電位レベルの相異に起因する現水平走査期間の到達電位（充電率）のばらつきを大幅に抑制することができる。【０１３６】
また、図３３（ａ）の表示部１０ｋを、図３９に示すように駆動することも可能である。すなわち、各水平走査期間の冒頭にリフレッシュ期間Ｒを設けて該リフレッシュ期間Ｒに各データ信号線へリフレッシュ電位（例えば、Ｖｃｏｍ）を供給するとともに、各走査信号線を、前回の走査から２／３フレーム期間程度経過したタイミングで、リフレッシュ期間Ｒと同期するように複数回（例えば、３回）選択し、この中途選択期間において各走査信号線に接続する画素に上記リフレッシュ電位（例えば、Ｖｃｏｍ）を書き込む。中途選択期間は一水平走査期間よりも短期間であるが、中途選択期間を一水平走査期間の間隔をおいて複数回設けてインパルス駆動を行うことで、各画素に黒を書き込む（黒挿入する）ことができる。こうすれば、各画素は、１フレーム期間のうち２／３フレーム期間は入力映像データを表示する一方、残りの１／３フレーム期間は黒表示を行うことになるため、動画表示時の尾引き等が低減され、動画表示品位を向上させることができる。【０１３７】
なお、画素分割方式である図３５（ａ）の表示部１０ｐを、図４０のように駆動することでも、動画表示時の尾引き等が低減され、動画表示品位を向上させることができる。【０１３８】
実施の形態４の説明では、データ信号線に供給される信号電位の極性を１水平走査期間（１Ｈ）ごとに反転させているが、これに限定されない。各画素の接続関係はそのままにして同時選択の順序を変えれば、データ信号線に供給される信号電位の極性を複数水平走査期間ごとに反転させることもできる。この場合、上記信号電位の極性を１水平走査期間ごとに反転させる場合よりもソースドライバの消費電力を低減することができる。【０１３９】
〔上記各実施の形態について〕
上記各実施の形態では、１つの画素列に対応して、その両側に第１および第２データ信号線が設けられているが、これに限定されない。例えば、図５３のように、１つの画素列に対応して、該画素列の一方の側に第１データ信号線（例えば、Ｓ１ｘやＳ１ａ）が設けられ、該画素列と重なるように第２データ信号線（例えば、Ｓ１ｙやＳ１ｂ）が設けられていてもよい。こうすれば、データ信号線同士を離すことができ、これらの間に生じる寄生容量を低減することができる。また、こうすれば、画素列の両側に該画素列に対応するデータ信号線を配置する構成に比べてデータ信号線同士の距離を広く保つことができる。これにより、データ信号線同士の短絡率を減少させることができ、製造歩留まりを高めることができる。なお、この構成では、データ信号線と各画素の画素電極とが重なるため、データ信号線上の層間絶縁膜を厚くしておく（例えば、該層間絶縁膜に有機絶縁膜を用いる）ことが望ましい。【０１４０】
上記の図９〜１２で示すような、１Ｖ反転駆動（各データ信号線に供給する信号電位の極性を１フレームごとに反転させる駆動）でリフレッシュを行う場合には、リフレッシュ電位Ｖｒを、１Ｈ（水平走査期間）前の信号電位Ｖｐと、現水平走査期間の信号電位Ｖｑと、アクティブマトリクス基板の対向基板に形成される共通電極の電位Ｖｃｏｍとに基づいて設定することもできる（アクティブリフレッシュ）。例えば、Ｖｒ＝Ｖｑ＋{（Ｖｑ−Ｖｃｏｍ）−（Ｖｐ−Ｖｃｏｍ）}／２とする。この場合、リフレッシュ期間を、データ信号線の時定数（ソースラインの時定数）の９０〜１００パーセントとする。図５７は、上記のアクティブリフレッシュを、リフレッシュ期間をデータ信号線の時定数の９０パーセントとして行った場合の、１水平走査期間前に供給された電位レベルによる現水平走査期間の到達電位のばらつきを示す波形図である。図５７から、０階調（１Ｈ前）→１００階調（現水平走査期間）、１００階調→１００階調、および２５５階調（１Ｈ前）→１００階調それぞれの場合について、画素の到達電位が良く揃い、また、到達電位も設定階調電位に略等しいものとなっていることがわかる。図５８は、上記のアクティブリフレッシュを、リフレッシュ期間をデータ信号線の時定数の１００パーセントとして行った場合の、１水平走査期間前に供給された電位レベルによる現水平走査期間の到達電位のばらつきを示す波形図である。図５８から、０階調（１Ｈ前）→１００階調（現水平走査期間）、１００階調→１００階調、および２５５階調（１Ｈ前）→１００階調それぞれの場合について、画素の到達電位がさらに良く揃い、また、到達電位も設定階調電位に略等しいものとなっていることがわかる。【０１４１】
図４５は、上記表示部１０ａ、１０ｅ、１０ｉ、１０ｋ等（非画素分割方式）を含む本液晶表示装置の構成を示すブロック図である。同図に示されるように、本液晶表示装置は、表示部（液晶パネル）と、ソースドライバと、ゲートドライバと、バックライトと、バックライト駆動回路と、表示制御回路と、データ並べ替え回路４４とを備えている。ソースドライバはデータ信号線を駆動し、ゲートドライバは走査信号線を駆動し、データ並べ替え回路４４は入力データの並べ替えを行い（後述）、表示制御回路は、ソースドライバ、ゲートドライバおよびバックライト駆動回路を制御する。【０１４２】
表示制御回路は、外部の信号源（例えばチューナー）から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取る。また、表示制御回路は、受け取ったこれらの信号Ｄｖ，ＨＳＹ，ＶＳＹ，Ｄｃに基づき、そのデジタルビデオ信号Ｄｖの表す画像を表示部に表示させるための信号として、データスタートパルス信号ＳＳＰと、データクロック信号ＳＣＫと、ラッチストローブ信号ＬＳと、表示すべき画像を表すデジタル画像信号ＤＡ（ビデオ信号Ｄｖに対応する信号）と、ゲートスタートパルス信号ＧＳＰと、ゲートクロック信号ＧＣＫと、ゲートドライバ出力制御信号（走査信号出力制御信号）ＧＯＥとを生成し、これらを出力する。【０１４３】
より詳しくは、ビデオ信号Ｄｖを内部メモリで必要に応じてタイミング調整等を行った後に、デジタル画像信号ＤＡとして表示制御回路から出力し、そのデジタル画像信号ＤＡの表す画像の各画素に対応するパルスからなる信号としてデータクロック信号ＳＣＫを生成し、水平同期信号ＨＳＹに基づき１水平走査期間毎に所定期間だけハイレベル（Ｈレベル）となる信号としてデータスタートパルス信号ＳＳＰを生成し、垂直同期信号ＶＳＹに基づき１フレーム期間（１垂直走査期間）毎に所定期間だけＨレベルとなる信号としてゲートスタートパルス信号ＧＳＰを生成し、水平同期信号ＨＳＹに基づきゲートクロック信号ＧＣＫを生成し、水平同期信号ＨＳＹおよび制御信号Ｄｃに基づきラッチストローブ信号ＬＳ、ならびにゲートドライバ出力制御信号ＧＯＥを生成する。【０１４４】
上記のようにして表示制御回路において生成された信号のうち、デジタル画像信号ＤＡ、ラッチストローブ信号ＬＳ、信号電位（データ信号電位）の極性を制御する信号ＰＯＬ、データスタートパルス信号ＳＳＰ、およびデータクロック信号ＳＣＫは、ソースドライバに入力され、ゲートスタートパルス信号ＧＳＰとゲートクロック信号ＧＣＫとゲートドライバ出力制御信号ＧＯＥとは、ゲートドライバに入力される。【０１４５】
ソースドライバは、デジタル画像信号ＤＡ、データクロック信号ＳＣＫ、ラッチストローブ信号ＬＳ、データスタートパルス信号ＳＳＰ、および極性反転信号ＰＯＬに基づき、デジタル画像信号ＤＡの表す画像の各走査信号線における画素値に相当するアナログ電位としてのデータ信号を１水平走査期間毎に順次生成し、これらのデータ信号をデータ信号線（例えば、Ｓ１ｘ・Ｓ１ｙ）に出力する。【０１４６】
ゲートドライバは、ゲートスタートパルス信号ＧＳＰおよびゲートクロック信号ＧＣＫと、ゲートドライバ出力制御信号ＧＯＥとに基づき、走査信号を生成し、これらを走査信号線に出力し、これによって走査信号線を選択的に駆動する。【０１４７】
上記のようにソースドライバおよびゲートドライバにより表示部（液晶パネル）のデータ信号線および走査信号線が駆動されることで、選択された走査信号線に接続されたＴＦＴを介して、データ信号線から画素電極に信号電位が書き込まれる。これにより各画素の液晶層にデジタル画像信号ＤＡに応じた電圧が印加され、その電圧印加によってバックライトからの光の透過量が制御され、デジタルビデオ信号Ｄｖの示す画像が画素に表示される。【０１４８】
図４６は、上記表示部１０ｃ、１０ｇ、１０ｊ、１０ｐ等（画素分割方式）を含む本液晶表示装置の構成を示すブロック図である。該液晶表示装置では、図４５の構成に、ＣＳ制御回路が加えられている。ＣＳ制御回路は、保持容量配線（ＣＳ配線）の電位を制御するためのＣＳ信号の位相および周期等を制御する回路であり、表示制御回路から出力されるゲートスタートパルス信号ＧＳＰ、ゲートクロック信号ＧＣＫが入力される。【０１４９】
本液晶表示装置は、図４７に示すように、表示部（非画素分割方式）に上領域と下領域が設けられるとともに、各領域にデータ信号線および走査信号線並びに画素が設けられ、これらが領域ごとに個別駆動される構成とすることもできる。該構成では、上下領域でデータ信号線を切り離し、それぞれを第１および第２ソースドライバで駆動する。また、上領域の各走査信号線Ｇ１・Ｇ２・・・を第１ゲートドライバＧＤ１で駆動し、下領域の各走査信号線ｇ１・ｇ２・・・を第２ゲートドライバＧＤ２で駆動する。また、第１および第２ソースドライバにはそれぞれ、表示制御回路からＤＡ１・ＤＡ２が入力される。なお、表示部が画素分割方式である場合には、図４８のように構成すればよい。すなわち、図４７の構成に、上領域に対応する第１ＣＳ制御回路ＣＳＣ１と、下領域に対応する第２ＣＳ制御回路ＣＳＣ２とを追加し、上領域の保持容量配線を第１ＣＳ制御回路ＣＳＣ１で制御し、下領域の保持容量配線を第２ＣＳ制御回路ＣＳＣ２で制御する。【０１５０】
図４９（ａ）（ｂ）に、ゲートドライバの構成を示す。同図に示されるように、ゲートドライバは、シフトレジスタ４０（図４９（ｂ）参照）を含む複数の部分回路としてのゲートドライバ用ＩＣ（Integrated Circuit）チップ４１１ａ，４１１ｐ，・・・４１１ｑからなる。各ゲートドライバ用ＩＣチップは、図４９（ｂ）に示すように、シフトレジスタ４０と、当該シフトレジスタ４０の各段に対応して設けられた第１および第２のＡＮＤゲート４２・４３と、第２のＡＮＤゲート４３の出力信号ｇ（１）・・・に基づき走査信号Ｇ（１）・・・を出力する出力部４５とを備え、外部からの信号をスタートパルス信号ＳＰｉ、クロック信号ＣＫ、および出力制御信号ＯＥとして受け取る。【０１５１】
スタートパルス信号ＳＰｉはシフトレジスタ４０の入力端に与えられ、シフトレジスタ４０の出力端からは、後続のゲートドライバ用ＩＣチップに入力されるべきスタートパルス信号ＳＰｏが出力される。また、それぞれの第１のＡＮＤゲート４１にはクロック信号ＣＫの論理反転信号が入力される一方、それぞれの第２のＡＮＤゲート４３には出力制御信号ＯＥの論理反転信号が入力される。そして、シフトレジスタ４０の各段の出力信号Ｑｋ（ｋ＝１・・・）は、当該段に対応する第１のＡＮＤゲート４１に入力され、当該第１のＡＮＤゲート４１の出力信号は当該段に対応する第２のＡＮＤゲート４３に入力される。【０１５２】
また、ゲートドライバは、図４９（ａ）に示すように、上記構成の複数のゲートドライバ用ＩＣチップ４１１ａ〜４１１ｑが縦続接続されて構成されている。すなわち、ゲートドライバ用ＩＣチップ４１１ａ〜４１１ｑ内のシフトレジスタ４０が１つのシフトレジスタを形成するように、各ゲートドライバ用ＩＣチップ内のシフトレジスタの出力端（スタートパルス信号ＳＰｏの出力端子）が次ゲートドライバ用ＩＣチップ内のシフトレジスタの入力端（スタートパルス信号ＳＰｉの入力端子）に接続される。【０１５３】
ただし、先頭のゲートドライバ用ＩＣチップ４１１ａ内のシフトレジスタには、表示制御回路からゲートスタートパルス信号ＧＳＰが入力され、最後尾のゲートドライバ用ＩＣチップ４１１ｑ内のシフトレジスタは外部と未接続となっている。また、表示制御回路からのゲートクロック信号ＧＣＫは、各ゲートドライバ用ＩＣチップにクロック信号ＣＫとして共通に入力される。一方、表示制御回路において生成されるゲートドライバ出力制御信号ＧＯＥは第１〜第ｑのゲートドライバ出力制御信号ＧＯＥ１〜ＧＯＥｑからなり、これらのゲートドライバ出力制御信号ＧＯＥ１〜ＧＯＥｑは、ゲートドライバ用ＩＣチップ（４１１ａ・・・４１１ｑ）に出力制御信号ＯＥとしてそれぞれ個別に入力される。【０１５４】
図５０に、本液晶表示装置に用いられるデータ並べ替え回路４４（図４５〜４８参照）の構成を示す。図５０に示すように、データ並び替え回路４４は、並び替え制御回路６１と第１ラインメモリ５１Ａと第２ラインメモリ５１Ｂとを備える。並び替え制御回路６１は、入力される信号Ｄｖ、ＨＳＹ、ＶＳＹおよびＤｃを用いて、パラレルに入力される２ライン（２画素行）分のデータをシリアル化し、１水平走査期間（１Ｈ）の出力データとする。例えば、並び替え制御回路６１は、奇数行の画素行の各データを第１ラインメモリ５１Ａに一旦書き込むとともに、次行（偶数行の画素行）の各データを第２ラインメモリ５１Ｂに一旦書き込んでおき、第１ラインメモリ５１Ａおよび第２ラインメモリ５１Ｂから交互にデータを読み出すことで、パラレルに入力される２ライン（２画素行）分のデータをシリアル化する。ここで、第１ラインメモリ５１Ａおよび第２ラインメモリ５１Ｂから交互にデータを読み出されたデータは、第１および第２のデータ信号線に供給される信号電位に対応する。【０１５５】
図５１（ａ）（ｂ）に、本液晶表示装置において、リフレッシュ期間を設ける場合のソースドライバの構成を示す。図５１（ａ）に示すように、この場合のソースドライバには、各データ信号線に対応してバッファ３１と、データ出力用スイッチＳＷａと、リフレッシュ用スイッチＳＷｂとが設けられる。バッファ３１には対応するデータｄが入力され、バッファ３１の出力は、データ出力用スイッチＳＷａを介してデータ信号線への出力端に接続されている。また、隣り合う２本のデータ信号線それぞれに対応する出力端は、リフレッシュ用スイッチＳＷｂを介して互いに接続されている。すなわち、各リフレッシュ用スイッチＳＷｂは直列に接続され、その一端がリフレッシュ電位供給源３５（Ｖｃｏｍ）に接続されている。ここで、データ出力用スイッチＳＷａのゲート端子には、ＬＳ（ラッチストローブ信号）がインバータ３３を介して入力され、リフレッシュ用スイッチＳＷｂのゲート端子には、ＬＳ信号が入力される。上記構成は、リフレッシュ電位のチャージシェアを比較的行い易い場合（隣接するデータ信号線が同極性とならない、表示部１０ｂや１０ｆ等）に好適である。【０１５６】
なお、図５１（ａ）の構成を、図５１（ｂ）のように変形することもできる。すなわち、リフレッシュ用スイッチＳＷｃを、対応するデータ信号線とリフレッシュ電位供給源３５（Ｖｃｏｍ）にのみに接続し、各リフレッシュ用スイッチＳＷｃを直列に接続しない構成とする。こうすれば、各データ信号線に速やかにリフレッシュ電位を供給することができる。該記構成は、リフレッシュ電位のチャージシェアを比較的行い難い場合（隣接するデータ信号線が同極性となる、表示部１０ａや１０ｅあるいは１０ｋ等）に好適である。【０１５７】
ここで、上記各実施の形態ではリフレッシュ電位をＶｃｏｍとしているがこれに限定されない。例えば、同一データ信号線に１水平走査期間前に供給された電位レベルと現水平走査期間に供給すべき信号電位とに基づいて適切なリフレッシュ電位を算出しておき、このリフレッシュ電位を該データ信号線に供給してもよい。この場合のソースドライバの構成を図５２に示す。該構成では、各データ信号線に対応して、データ出力用バッファ１３１と、リフレッシュ用バッファ１３２と、データ出力用スイッチＳＷａと、リフレッシュ用スイッチＳＷｅとが設けられる。データ出力用バッファ１３１には対応するデータｄが入力され、データ出力用バッファ１３１の出力は、データ出力用スイッチＳＷａを介してデータ信号線への出力端に接続されている。リフレッシュ用バッファ１３２には対応する非画像データＮ（１水平走査期間前に供給された電位レベルと現水平走査期間に供給すべき信号電位とに基づいて決定された最適なリフレッシュ電位に対応するデータ）が入力され、リフレッシュ用バッファ１３２の出力は、リフレッシュ用スイッチＳＷｅを介してデータ信号線への出力端に接続されている。【０１５８】
次に、本液晶表示装置をテレビジョン受信機に適用するときの一構成例について説明する。図５４は、テレビジョン受信機用の液晶表示装置８００の構成を示すブロック図である。液晶表示装置８００は、液晶表示ユニット８４と、Ｙ／Ｃ分離回路８０と、ビデオクロマ回路８１と、Ａ／Ｄコンバータ８２と、液晶コントローラ８３と、バックライト駆動回路８５と、バックライト８６と、マイコン（マイクロコンピュータ）８７と、階調回路８８とを備えている。なお、液晶表示ユニット８４は、液晶パネルと、これを駆動するためのソースドライバおよびゲートドライバとで構成される。【０１５９】
上記構成の液晶表示装置８００では、まず、テレビジョン信号としての複合カラー映像信号Ｓｃｖが外部からＹ／Ｃ分離回路８０に入力され、そこで輝度信号と色信号に分離される。これらの輝度信号と色信号は、ビデオクロマ回路８１にて光の３原色に対応するアナログＲＧＢ信号に変換され、さらに、このアナログＲＧＢ信号はＡ／Ｄコンバータ８２により、デジタルＲＧＢ信号に変換される。このデジタルＲＧＢ信号は液晶コントローラ８３に入力される。また、Ｙ／Ｃ分離回路８０では、外部から入力された複合カラー映像信号Ｓｃｖから水平および垂直同期信号も取り出され、これらの同期信号もマイコン８７を介して液晶コントローラ８３に入力される。【０１６０】
液晶表示ユニット８４には、液晶コントローラ８３からデジタルＲＧＢ信号が、上記同期信号に基づくタイミング信号と共に所定のタイミングで入力される。また、階調回路８８では、カラー表示の３原色Ｒ，Ｇ，Ｂそれぞれの階調電位が生成され、それらの階調電位も液晶表示ユニット８４に供給される。液晶表示ユニット８４では、これらのＲＧＢ信号、タイミング信号および階調電位に基づき内部のソースドライバやゲートドライバ等により駆動用信号（データ信号＝信号電位、走査信号等）が生成され、それらの駆動用信号に基づき、内部の液晶パネルにカラー画像が表示される。なお、この液晶表示ユニット８４によって画像を表示するには、液晶表示ユニット内の液晶パネルの後方から光を照射する必要があり、この液晶表示装置８００では、マイコン８７の制御の下にバックライト駆動回路８５がバックライト８６を駆動することにより、液晶パネルの裏面に光が照射される。【０１６１】
上記の処理を含め、システム全体の制御はマイコン８７が行う。なお、外部から入力される映像信号（複合カラー映像信号）としては、テレビジョン放送に基づく映像信号のみならず、カメラにより撮像された映像信号や、インターネット回線を介して供給される映像信号なども使用可能であり、この液晶表示装置８００では、様々な映像信号に基づいた画像表示が可能である。【０１６２】
液晶表示装置８００でテレビジョン放送に基づく画像を表示する場合には、図５５に示すように、液晶表示装置８００にチューナー部９０が接続され、これによって本テレビジョン受像機６０１が構成される。このチューナー部９０は、アンテナ（不図示）で受信した受信波（高周波信号）の中から受信すべきチャンネルの信号を抜き出して中間周波信号に変換し、この中間周波数信号を検波することによってテレビジョン信号としての複合カラー映像信号Ｓｃｖを取り出す。この複合カラー映像信号Ｓｃｖは、既述のように液晶表示装置８００に入力され、この複合カラー映像信号Ｓｃｖに基づく画像が該液晶表示装置８００によって表示される。【０１６３】
図５６は、本テレビジョン受像機の一構成例を示す分解斜視図である。同図に示すように、本テレビジョン受像機６０１は、その構成要素として、液晶表示装置８００の他に第１筐体８０１および第２筐体８０６を有しており、液晶表示装置８００を第１筐体８０１と第２筐体８０６とで包み込むようにして挟持した構成となっている。第１筐体８０１には、液晶表示装置８００で表示される画像を透過させる開口部８０１ａが形成されている。また、第２筐体８０６は、液晶表示装置８００の背面側を覆うものであり、当該表示装置８００を操作するための操作用回路８０５が設けられると共に、下方に支持用部材８０８が取り付けられている。【０１６４】
なお、本実施の形態では、例えば、保持容量配線の電位を該保持容量配線に供給する保持容量配線信号によって制御する。この場合、上記の説明において、保持容量配線の電位（レベル）を、該保持容量配線に供給する保持容量配線信号の電位（レベル）と読み替えることが可能である。【０１６５】
また、「電位極性」とは、基準となる電位以下あるいは以上を示すものであり、プラス極性とは基準となる電位以上を示し、マイナス極性とは基準となる電位以下を示している。なお、基準となる電位は共通電極（対向電極）の電位であるＶｃｏｍ（コモン電位）であってもその他任意の電位であってもよい。【０１６６】
さらに、「電位極性の反転」とは、基準となる電位以下のレベルから基準となる電位以上へレベルシフトすること、あるいは基準となる電位以上のレベルから基準となる電位以下へレベルシフトすることを示すものである。ここで、上記のとおり、基準となる電位は共通電極（対向電極）の電位であるＶｃｏｍ（コモン電位）であってもその他任意の電位であってもよく、したがって、「電位の反転（電位極性の反転）」を「電位のレベルシフト」と言い換えることもできる。【０１６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６８】
本発明の液晶パネルおよび液晶表示装置は、例えば液晶テレビに好適である。
【図１】
0005512284.tif 000002
【図２】
0005512284.tif 000003
【図３】
0005512284.tif 000004
【図４】
0005512284.tif 000005
【図５】
0005512284.tif 000006
【図６】
0005512284.tif 000007
【図７】
0005512284.tif 000008
【図８】
0005512284.tif 000009
【図９】
0005512284.tif 000010
【図１０】
0005512284.tif 000011
【図１１】
0005512284.tif 000012
【図１２】
0005512284.tif 000013
【図１３】
0005512284.tif 000014
【図１４】
0005512284.tif 000015
【図１５】
0005512284.tif 000016
【図１６】
0005512284.tif 000017
【図１７】
0005512284.tif 000018
【図１８】
0005512284.tif 000019
【図１９】
0005512284.tif 000020
【図２０】
0005512284.tif 000021
【図２１】
0005512284.tif 000022
【図２２】
0005512284.tif 000023
【図２３】
0005512284.tif 000024
【図２４】
0005512284.tif 000025
【図２５】
0005512284.tif 000026
【図２６】
0005512284.tif 000027
【図２７】
0005512284.tif 000028
【図２８】
0005512284.tif 000029
【図２９】
0005512284.tif 000030
【図３０】
0005512284.tif 000031
【図３１】
0005512284.tif 000032
【図３２】
0005512284.tif 000033
【図３３】
0005512284.tif 000034
【図３４】
0005512284.tif 000035
【図３５】
0005512284.tif 000036
【図３６】
0005512284.tif 000037
【図３７】
0005512284.tif 000038
【図３８】
0005512284.tif 000039
【図３９】
0005512284.tif 000040
【図４０】
0005512284.tif 000041
【図４１】
0005512284.tif 000042
【図４２】
0005512284.tif 000043
【図４３】
0005512284.tif 000044
【図４４】
0005512284.tif 000045
【図４５】
0005512284.tif 000046
【図４６】
0005512284.tif 000047
【図４７】
0005512284.tif 000048
【図４８】
0005512284.tif 000049
【図４９】
0005512284.tif 000050
【図５０】
0005512284.tif 000051
【図５１】
0005512284.tif 000052
【図５２】
0005512284.tif 000053
【図５３】
0005512284.tif 000054
【図５４】
0005512284.tif 000055
【図５５】
0005512284.tif 000056
【図５６】
0005512284.tif 000057
【図５７】
0005512284.tif 000058
【図５８】
0005512284.tif 000059